(57)【要約】  従来のように、バイト用ホルダの横逃げ面側に凸部を設けることなく、クーラントを切削チップの横逃げ面側から切れ刃に向けて供給し得るバイト用ホルダを提供することを課題とする。  該問題を解決するために、ホルダ（１００）自身の先端部位（１０２）の横逃げ面（１２０）のうち、先端（１０３）から後端に向かう所定の範囲（Ｌ１）に、それより後方部位（１２２）の横逃げ面（１２０ｂ）に対して相対的に凹む形で凹面部（１２３）を形成し、この凹面部（１２３）における後方に、すくい面（１０５）側から見て円弧状をなす円弧面部（先端向き面）（１２５）に設け、クーラントの噴出口（１５０）をこの先端向き面に開口させた。これにより、横逃げ面側におけるクーラントの供給が確保され、かつ、従来のようにホルダの横逃げ面側に凸部がない分、チャック（Ｃｋ）に近接した位置での切削ができる。
2015056496.tif 000002
【特許請求の範囲】
【請求項１】
自身の先端部位に切削チップを固定するためのチップ座を備え、そのチップ座に固定される切削チップの切れ刃に向けて、該切削チップの横逃げ面側からクーラントを供給し得るように開口された噴出口が、自身の横逃げ面側に設けられてなるバイト用ホルダにおいて、
自身の先端部位の横逃げ面のうち、先端から後端に向かう所定の範囲に、それより後方部位の横逃げ面に対して相対的に凹む形で凹面部が形成され、前記噴出口を、この凹面部における先端向き面に設けたことを特徴とするバイト用ホルダ。
【請求項２】
前記噴出口は、前記チップ座に切削チップが固定されたとき、そのすくい面より低位に位置し、かつ、斜め上向きにクーラントを噴出させるように開口されていることを特徴とする請求項１に記載のバイト用ホルダ。
【請求項３】
前記噴出口は、上下方向に複数設けられていることを特徴とする請求項１又は２のいずれか１項に記載のバイト用ホルダ。
【請求項４】
請求項１〜３のいずれか１項に記載のバイト用ホルダにおけるチップ座に、切削チップを、すくい面側から見たとき、該バイト用ホルダにおける前記後方部位における横逃げ面に沿って引いた仮想直線より突出することなく固定してなることを特徴とする切削工具。
【発明の詳細な説明】
【技術分野】
【０００１】
本発明は、被削物（工作物）の旋削による外径加工等に使用されるバイト用ホルダ、及びこのバイト用ホルダの先端のチップ座に切削チップを固定してなる切削工具に関する。
【背景技術】
【０００２】
従来、この種の切削工具において、クーラントを、切削チップ（スローアウェイチップなどの切削インサート）における切れ刃に、浴びせる形で供給するため、バイト用ホルダ（以下、単にホルダともいう）内に流路を設けてなる切削工具が各種提案されている。このものは、ホルダの先端近傍においてその流路に連なる噴出口を開口させ、流路内を圧送するクーラント（切削液等）を、切れ刃をなす、すくい面等に向けて高圧ジェット流として供給するように構成されている。このような切削工具のうち、クーラントを、切れ刃をなす横逃げ面側に向けて噴射し得るように、バイト用ホルダ（本体）における横逃げ面側にその噴出口を設けた技術がある（特許文献１、特許文献２）。このような噴出口からクーラントを噴出するようにした切削工具においては、そのクーラントによって切れ刃（刃先）と被削物の冷却（温度上昇防止）の他、潤滑の作用効果も高く、逃げ面摩耗の防止にも有効とされる。加えて、横逃げ面側で切り屑を吹き飛ばす作用も得られることから、切り屑が切削工具に絡み付いたり、加工面を傷付けるのを防止する作用も得られるなど、切り屑の処理性においても有効とされている。なお、本願において、バイト用ホルダに関して「横逃げ面」というときは、このホルダに固定される切削チップの横逃げ面と同向きの側面を意味するものとし、バイト用ホルダに関して「すくい面」というときは、前記側面に対して、このホルダに固定される切削チップのすくい面と同向きの面を意味するものとする。【０００３】
ところで、従来、旋削によって被削物を高精度に加工する場合、切削工具は、旋盤のスピンドルヘッドや、被削物をチャックする爪のできるだけ近い位置にしてその使用に供されるべきである。とりわけ、小径の被削物(丸棒)の精密加工では、ブレ防止の観点から、その要請が高い。一方、被削物が所定の軸やピン状の部品であり、これを効率的に加工する場合には、回転する中空のスピンドル（主軸）の中を、加工素材（長尺の棒材）が通され、所定の加工を終了するごとに、所要の長さだけ自動的に送り出され、次の加工が行われるようにした自動材料送り出し装置を備えた旋盤（自動旋盤）が使用される。このような旋盤では、被削物であるその部品の加工に必要とされる複数の切削工具（外径加工用や溝入れ用等の切削工具）が、スピンドル（回転軸）の例えば上方において、この回転軸に直角方向に、間隔を保持し、かつ互いに平行に、櫛歯状の配置で刃物台に固定される。そして、切削に応じて刃物台を同直角方向に移動し、加工ごとに選択された切削工具による切り込みを行うため、刃物台の縦送り（回転軸の半径方向（例えば、下向き）への移動）を行うと共に、横送り（回転軸方向の送り）は、材料側において自動送りで行うことで、その加工が進められる。【０００４】
このように、横送り（回転軸方向の送り）が被削物側において自動送りで行われる自動旋盤による旋削では、刃物台自体が、回転軸方向において、スピンドルヘッド（又はチャックの爪）の正面近傍に設けられるため、外径加工等のための切削工具は、必然的に、スピンドルヘッドの正面と干渉しない程度で、小さい空隙を保持して配置されることになる。そして、切削工具をなすバイト用ホルダ（シャンク）の横逃げ面、及びそれに設けられる切削チップにおける切れ刃コーナは、スピンドルヘッド（又はチャックの爪）に、可能な限り近接する配置で刃物台に取り付けられる。これは、上記した切削工具におけるバイト用ホルダのように、その横逃げ面側に、切れ刃に向けてクーラントを噴射するための噴出口を備えた切削工具を使用する場合においても同じである。
【先行技術文献】
【特許文献】
【０００５】
【特許文献１】特開平８−２５１１０号公報
【特許文献２】特開平８−７１８１３号公報
【発明の概要】
【発明が解決しようとする課題】
【０００６】
ところが、上記した従来技術における切削工具においては、切削チップの切れ刃の横逃げ面にクーラントを供給するための噴出口が、バイト用ホルダの横逃げ面側において隆起状に突出して設けられた突出部、又はアダプタなどの凸部における先端向き面に開口された形で設けられている。すなわち、上記従来の切削工具においては、ホルダにおける横逃げ面側に、クーラントの噴出口を設けるための凸部が突出状に設けられているため、この突出分、同切削工具の使用時においては、これをスピンドルヘッド（又はチャックの爪）の正面に近づけることができないばかりか、逆にその凸部がある分、離間させることになっていた。このように、従来のこの種の切削工具においては、横逃げ面側におけるクーラントの供給は確保されるが、その反面、噴出口を設けるための凸部、すなわち、出っ張りがある分、スピンドルヘッドやチャックの爪から離間させて刃物台に固定することになることから、その離間分、チャックから離れた位置での切削となってしまうという問題があった。そして、このような問題は、小径の軸部材の超高精度仕上げにおいては、これが、ブレ等の発生要因ともなることから、顕在化しやすい。かといって、別途、ブレ止を設けることでは加工効率の低下を招いてしまう。【０００７】
このような問題は、上記したように複数の切削工具を、被削物の回転軸方向において同位置となる配置で櫛歯状に固定する刃物台を有する自動旋盤では、他の切削工具も、その噴出口のための上記凸部を備えている切削工具と同様に、離れた位置に配置することになることから、切削工程の全体にも及ぶことを意味する。また、このような問題は、材料の自動送り装置を有しない普通旋盤によって外径加工を行うため、切削工具を固定した刃物台を横送りしてチャックに近い位置まで加工する場合でも、その凸部（出っ張り）が存在する分、それがない場合に比べると、切れ刃はチャックに近づけることができない。【０００８】
本発明は、上記問題点に鑑みてなされたもので、従来の切削工具のように、バイト用ホルダの横逃げ面側に凸部を設けることなく、クーラントを切削チップの横逃げ面側において切れ刃に向けて供給し得るバイト用ホルダを提供し、もって、そのクーラントの供給を確保しつつも、従来の切削工具よりも、スピンドルヘッドやチャックに近接した位置において切削を行うことのできる切削工具を提供することをその目的とする。
【課題を解決するための手段】
【０００９】
請求項１に記載の発明は、自身の先端部位に切削チップを固定するためのチップ座を備え、そのチップ座に固定される切削チップの切れ刃に向けて、該切削チップの横逃げ面側からクーラントを供給し得るように開口された噴出口が、自身の横逃げ面側に設けられてなるバイト用ホルダにおいて、
自身の先端部位の横逃げ面のうち、先端から後端に向かう所定の範囲に、それより後方部位の横逃げ面に対して相対的に凹む形で凹面部が形成され、前記噴出口を、この凹面部における先端向き面に設けたことを特徴とする。【００１０】
請求項２に記載の発明は、前記噴出口は、前記チップ座に切削チップが固定されたとき、そのすくい面より低位に位置し、かつ、斜め上向きにクーラントを噴出させるように開口されていることを特徴とする請求項１に記載のバイト用ホルダである。
請求項３に記載の発明は、前記噴出口は、上下方向に複数設けられていることを特徴とする請求項１又は２のいずれか１項に記載のバイト用ホルダである。【００１１】
請求項４に記載の発明は、請求項１〜３のいずれか１項に記載のバイト用ホルダにおけるチップ座に、切削チップを、すくい面側から見たとき、該バイト用ホルダにおける前記後方部位における横逃げ面に沿って引いた仮想直線より突出することなく固定してなることを特徴とする切削工具である。
【発明の効果】
【００１２】
本発明に係るバイト用ホルダにおいては、上記した構成の通り、自身の先端部位の横逃げ面のうち、先端から後端に向かう所定の範囲に、それより後方部位の横逃げ面に対して相対的に凹む形で凹面部が形成され、前記噴出口を、この凹面部における先端向き面に設けている。このため、そのチップ座に、切削チップを固定してなる切削工具とし、これを旋盤の刃物台に固定して被削物の外径加工や端面加工をする場合においては、切削チップの切れ刃に向けてその横逃げ面側からクーラントの供給ができる。そして、その切削工具においては、その噴出口が、従来の切削工具のように、バイト用ホルダの横逃げ面側に設けられた突出部やアダプタ等の凸部（出っ張り）に設けられているのではなく、これとは逆に、すなわち、本発明では、そのような凸部を設けることなく、ホルダの先端部位の横逃げ面側に設けられた凹面部における先端向き面に設けられている。このように、本発明のホルダにおいてはその横逃げ面側に従来の切削工具におけるような「凸部」といった出っ張りがないから、このホルダを含む切削工具を自動旋盤等の刃物台に固定して外径加工をする場合においては、その切れ刃を、従来の切削工具におけるような「凸部」がない分、スピンドルヘッド又はチャックの爪に、より近接させて配置して、その加工を行うことができる。これにより、横逃げ面側へのクーラントの供給を確保しつつも、従来の切削工具を用いる場合に比べると、被削物が小径のものでも、ブレ等の問題も小さくできるため、効率的かつ高精度の加工を得ることができる。【００１３】
本発明のホルダにおいて、前記凹面部が形成されている先後領域は、これが大きいほど、切り込み深さを大きくできるため、大径の被削物の端面の加工にも適する。したがって、前記凹面部が形成されている先後領域は、前記チップ座のうち、横逃げ面側が開放されている先後部位より大きい方がよいといえる。しかし、外径加工だけで、しかも、切り込み深さ（切り込み量）も小さく、切り屑排出性にも問題がなければ、前記凹面部が形成されている先後領域は、前記チップ座のうち、横逃げ面側が開放されている部位よりも小さくてもよい。【００１４】
本発明のバイト用ホルダの前記凹面部における「先端向き面」は、クーラントを先端側に向けて噴出させることのできる噴出口を開口させえる面であればよい。したがって、この「先端向き面」は、該凹面部のうち、ホルダの先端から、この先端を正面として見た時に見える面に限られず、該凹面部において先端側を向く後端面若しくは後端寄り面である。より具体的には、例えば、凹面部の後端が、ホルダの先後方向に直角な平面をなしているときは、その平面、すなわち、先端を向く平面となる。また、凹面部の後端が、すくい面側から見たとき、ホルダの先後方向に直角でない平面をなしているときは、その平面となり、この平面は、すくい面側から見ると、ホルダの先後方向に対し、傾斜したものとなる。さらに、凹面部の後端を含む後端寄り部位が、すくい面側から見たときにおいて、凹となす円弧状の線又は曲線をなしているときは、その曲線を含む面となる。【００１５】
請求項２に記載の本発明のように噴出口を設ける場合には、そこから噴出されるクーラントによって、切り屑をすくい面から浮かす方への外力の付与となるから、切り屑が切削工具に絡みつくのを防止する作用効果が得られる。一方、請求項３に記載の本発明のように噴出口を複数設けるとよい。なお、チップ座に、切削チップを固定して切削工具とする場合には、請求項４に記載のように、すくい面側から見たとき、切削チップ、すなわち、その切れ刃が、該バイト用ホルダにおける前記後方部位における横逃げ面に沿って引いた仮想直線より突出することなく固定するのがよい。
【図面の簡単な説明】
【００１６】
【図１】本発明のバイト用ホルダを具体化した実施の形態例１の斜視図、及びその要部拡大図。
【図２】図１のバイト用ホルダをすくい面側から見た図、及びその要部拡大図。
【図３】図１のバイト用ホルダを、横逃げ面側から見た図、及びその要部拡大図。
【図４】図１のバイト用ホルダを先端から見た拡大図。
【図５】図１のバイト用ホルダのチップ座に切削チップを固定してなる切削工具の先端部位（要部）拡大斜視図。
【図６】図５の切削工具で、チャックの近傍において被削物を切削しているときの、バイトホルダの横逃げ面、及び切削工具の切れ刃と、チャックの先端との位置関係を説明する、すくい面側から見た要部拡大図。
【図７】図６を横逃げ面側から見た図。
【図８】図６を切削工具の先端から見た図。
【図９】噴出口を開口させる凹面部の後方における先端向き面の別例を説明するすくい面側から見たバイト用ホルダの要部拡大図。
【図１０】本発明のバイト用ホルダ及び切削工具を具体化した別例の要部の拡大斜視図。
【図１１】本発明のバイト用ホルダ及び切削工具を具体化した別例の要部の拡大斜視図。
【図１２】図１１の切削工具をすくい面側から見た図。
【図１３】本発明のバイト用ホルダ及び切削工具を具体化した別例の要部の拡大斜視図。
【図１４】Ａは図１３の切削工具を横逃げ面側から見た図、Ｂは図１３の切削工具をすくい面側から見た図。
【発明を実施するための形態】
【００１７】
本発明のバイト用ホルダを具体化した実施の形態例について、図１〜図４に基づいて詳細に説明する。図中、１００は、バイト用ホルダであり、一定の矩形（長方形）横断面で先後に延びる棒材（四角棒材）を基材（ベース）として形成されており、その先端部位１０２の上面１０５（すくい面と同向き面。以下、すくい面ともいう）において、切削チップ（図５参照。本例では、２コーナを有するひし形チップ。以下、切削チップ２００ともいう）を着座させてネジ込み方式で固定（以下、ネジ止め）するためのチップ座１１０が凹設されている。ただし、このバイト用ホルダ１００は、その横逃げ面１２０側のうち、先端から後端に向かう所定の範囲Ｌ１（図２の拡大図参照）の横逃げ面１２０ａが、範囲Ｌ１より後方部位１２２の横逃げ面１２０ｂ（以下、基準面とも言う）より、その先後において凹む凹面部１２３をなしている。この凹面部１２３のうち、これをすくい面１０５側から見た輪郭、すなわち、詳細は後述するが、チップ座１１０における横逃げ面側の端縁は、その先端を含む先端寄り部位が、固定される切削チップ（ひし形チップ）２００の一辺をなす横逃げ面２１０形状（切れ刃２１５の形状）に沿うものとされている（図２参照）。このため、本例では、切削チップ２００をなすひし形チップを、その先端において切削を担う鋭角コーナーが、ホルダ１００の横逃げ面１２０側に適量突出するように、すくい面１０５側から見たとき、この凹面部１２３は後方に行くに従ってその凹み量が大きなるレーキ角（バックレーキ）が３度程度付けられており、先端から後方に向かう所定範囲が直線をなしている。
【００１８】
これにより、ホルダ１００は、この凹面部１２３をすくい面１０５側から見たとき、その凹面部１２３の形成領域Ｌ１であるホルダ１００の先端部位１０２の幅寸法は、その後方部位１２２よりも小さくなっている。ただし、この凹面部１２３のうちの、後端寄り部位は、すくい面１０５側から見て凹となす円弧状の円弧面部１２５をなしており、この円弧面部１２５を介し、これに続く後方部位１２２の横逃げ面１２０ｂが、相対的に幅広をなしている。なお、この円弧面部１２５のうち、チップ座（座面）１１０に相当する高さ部位には、詳細は後述するが、クーラントの噴出口（穴）１５０が開口されている。この噴出口１５０は、このホルダ１００内にトンネル状に設けられたクーラント供給用の流路内を圧送されるクーラントが、チップ座１１０に固定される切削チップ２００の横逃げ面２１０側において、切れ刃２１５又はその先端（刃先コーナー）２１７に向けて供給され得るように形成されている。
【００１９】
一方、本例においてチップ座１１０は、バイト用ホルダ１００の先後領域のうち、上記凹面部１２３の形成されている先後領域Ｌ１内において形成されている。本例では、このチップ座１１０は、この凹面部１２３の形成されている先後領域Ｌ１において、横逃げ面１２０側と、先端１０３側を開放する形で、平面視（すくい面側から見たとき）、略ひし形となるように凹設されている。この凹設により、チップ座１１０はすくい面１０５側から見て、バイト用ホルダ１００が先後に延びる方向に対し、先端側が横逃げ面１２０側を向くように、３度程度傾斜して設けられた背面側（横逃げ面１２０側と反対側）拘束壁１１３と、これと鋭角で交差し、斜め先端を向く先端向き拘束壁面１１５とで、ひし形チップの２辺を拘束するように形成されている。このチップ座（座面）１１０は、横逃げ面１２０側を向いて開放された凹面部１２３側縁、及び先端１０３側縁とを端縁とするひし形の平面をなしている。なお、この各拘束壁面１１３，１１５のチップ座１１０からの高さ（壁高さ）は、固定される切削チップ２００の厚みと略同じか、それより微量小さく設定されている。ただし、本例では固定される切削チップ２００がポジタイプのものであるため、その逃げ面を実際に拘束する各壁面は、上方が広がる傾斜壁とされている。また、先端向き拘束壁面１１５のうち、横逃げ面１２０側端縁は、すくい面１０５側から見たとき、円弧面部１２５よりも先端側１０３に位置するように形成されている。なお、チップ座１１０は、その略中央に、切削チップ２００（穴付きチップ）を止ネジ２５０で固定するためのネジ穴１１１を有している。また、すくい面１０５側から見て、この両拘束壁面１１３，１１５の交差部には、ひし形チップ２００の鋭角コーナーを逃がすための凹部（逃げ）１１６が設けられている。
【００２０】
このような本例のバイト用ホルダ１００においては、図５に示したように、チップ座１１０に、ひし形の切削チップ２００を着座させて、止ネジ２５０によってネジ止めしたとき、バイト用ホルダ１００の先端１０３において、チップ座１１０から先方に突出する切れ刃コーナ（刃先）２１７が、ホルダ１００の凹面部１２３より適量Ｔ１、ホルダ１００の横逃げ面１２０側に突出するように設定されている（図２の拡大図参照）。ただし、この切れ刃コーナー２１７におけるホルダ１００の横逃げ面１２０側への突出量Ｔ１は、すくい面側から見たとき、凹面部１２３の領域内とされる。すなわち、この切れ刃コーナー２１７は、すくい面１０５側から見たとき、バイト用ホルダ１００における凹面部１２３の後方部位１２２の横逃げ面（基準面）１２０ｂに沿って引いた直線（仮想直線）Ｌ２より外方に突出しないように設定されている。
【００２１】
さて、本例のバイト用ホルダ１００においては、上記もしたように、凹面部１２３における後端又は後端寄り部位に位置して先端向き面をなすところの円弧面部（本発明における先端向き面）１２５のうち、チップ座１１０（座面の平面）に相当する高さ部位に、クーラントの噴出口（穴）１５０が開口されている。この噴出口１５０は、横断面が円形のノズル状の穴１５２の先端である。そして、このノズル状の穴１５２は、すくい面１０５側から見たとき（図２参照）、その軸線（穴の軸線）が、チップ座１１０に固定される切削チップ２００における横逃げ面２１０の先端（切れ刃コーナー２１７寄り部位）近傍を、切削チップ２００の横逃げ面２１０側において通るようにされている（図２の拡大図、図６参照）。このすくい面１０５側から見たこの軸線は、本例ではホルダ１００の先後方向に向かう線（例えば、仮想直線Ｌ２）に平行に設けられているが、これは、すくい面側から見たときの噴出口１５０の位置と、チップ座１１０に固定される切削チップ２００のうち、切削を担う横逃げ面２１０の先端（切れ刃コーナー２１７）との位置関係で、適宜の傾斜角をつけてもよい。そして、切削チップ２００における横逃げ面２１０側から見たときの（図３参照）、そのノズル状の穴１５２の軸線は、その切削チップ２００のうち、切削を担う切れ刃２１５の先端（切れ刃コーナー２１７）のすくい面２２０寄り部位に向かうように上向きに傾斜する直線をなしている。これは、本例では噴出口１５０をチップ座１１０と同位（同じ高さ）としたためであるが、これが例えば、切削チップ２００のすくい面２２０と同高さ位置において開口されている場合には、ホルダ１００のすくい面に平行となるようにすればよい。また、切削チップ２００のすくい面２２０より上方において開口するものとしてもよいが、その場合には、そのノズル状の穴１５２の軸線が、上記したのと逆に、切削チップ２００のうち、切削を担う切れ刃２１５の先端の切れ刃コーナー２１７におけるすくい面２２０寄り部位に向かうように下向きに傾斜する直線となる。
【００２２】
一方、この噴出口１５０からクーラントを噴出させるための流路は、次のように形成されている（図２〜図４参照）。すなわち、本例では、バイト用ホルダ１００の後端面１０７から先端１０３に向けて、ホルダ１００の先後方向に延びる軸を中心軸として、ホルダ１００内にトンネル状にクーラント供給用の主流路１５４が形成されている。この主流路１５４は、チップ座１１０の後方においてその先端が閉塞された止まり穴をなしており、その先端寄り部位において、前記した噴出口１５０の開口に連なるノズル状の穴１５２に連通するように、横向きに、本例では横逃げ面１２０と反対側の面１２８から穿孔された止まり穴からなる枝流路１５３が形成されている。これにより、本例のホルダ１００では、外部から主流路１５４に圧送されるクーラントは、図２の拡大図中に矢印で示したように、枝流路１５３、ノズル状の穴１５２を通過して、噴出口１５０から上記した軸線方向にジェット流状に噴出される。なお、本例では、クーラント配管接続口（配管接続ネジ部）１５５が、バイト用ホルダ１００の後端面１０７と、後端寄りの横逃げ面１２０側と反対側の一側面１２８にも、互いに連通するように設けられており、その接続口が選択できるように設定されており、使用されない接続口にはプラグをねじ込むことで閉塞すればよい。なお、枝流路１５３の開口端も、図示はしないが、例えばプラグがねじ込まれて閉塞される。
【００２３】
しかして、上記した本例のバイト用ホルダ１００によれば、これのチップ座１１０に上記したように、所定の切削チップ２００をねじ込み方式により固定することで、図５、図６等に示したような切削工具３００となる。そして、この切削工具３００を旋盤の刃物台Ｈｄに固定して、例えば、チャックＣｋに保持（固定）された被削物（丸棒）Ｗの外径加工をする場合においては、クーラント配管接続口１５５に所定の配管を接続してクーラントを圧送することにより、これをジェット流状態で、上記したところの切削箇所に供給することができる。すなわち、本例では、バイト用ホルダ１００における円弧面部１２５のなす先端向き面（先端向き面１２５ともいう）に、上記したようにクーラントの噴出口１５０を備えているから、その切削過程では、その切削を受け持つ切れ刃２１５における切れ刃コーナー２１７に向けて横逃げ面１２０側から所望とする形態でクーラントを供給することができる。これにより、切れ刃（刃先）２１５と被削物Ｗと間の潤滑、及びその両者の冷却ができるのみならず、その設定された噴出方向により、発生する切り屑を切削部位から引き離す作用が得られるため、効果的な切り屑の処理性能が得られる。なお、図７に示したように、クーラントは、すくい面２２０側に向けて斜め上向きに噴出するとともに、図８に示したように、切削チップ２００のすくい面２２０の下においてポジをなす逃げ面２１０と、被削物Ｗとの隙間に供給される。
【００２４】
そして、本例の切削工具３００において重要なのは、その噴出口１５０が、従来の切削工具のように、バイト用ホルダの横逃げ面側において設けられた突出部やアダプタ等の凸部に設けられているのではなく、これとは全く逆に、そのような凸部を設けることなく、ホルダ１００の先端部位１０２の横逃げ面１２０側に設けられた凹面部１２３における後方の先端向き面をなす円弧面部１２５において開口されている点にあることである。すなわち、本例の切削工具３００は、従来の切削工具のようにホルダの横逃げ面側に出っ張る形で設けられた、噴出口形成のための凸部がない。このため、本例の切削工具３００を用いることによる旋削においては、図６に示したように、旋盤におけるチャック（又はスピンドルヘッド）Ｃｋに、バイト用ホルダ１００の基準面１２０ｂを、従来の切削工具の場合よりも凸部がない分、近づけることができる。これにより、被削物Ｗの加工が、チャックＣｋにより近い位置において行うことができるため、小径丸棒の加工においてもブレ等による問題もなく、効率的かつ高精度の加工を行うことができる。すなわち、自動材料送り出し装置を備えた自動旋盤による加工のように、切削工具が、縦送り（切り込み方向の送り）のみなされる場合においては、他の切削工具も櫛歯状の配置で同じ刃物台に固定されるため、その効果は他の切削工具にも及ぶから、著しい効果が得られる。
【００２５】
上記例のバイト用ホルダ１００においては、凹面部１２３の後端において先端を向く先端向き面が円弧面部１２５である。一方、本願発明では、上記したことからも明らかであるが、凹面部１２３における「先端向き面」は、クーラントをホルダ１００の先方に向けて噴出させ得る噴出口１５０を開口させ得る面（部位）であればよい。したがって、上記もしたが、図９に示したように、この先端向き面１２５は、ホルダ１００の先後方向に延びる直線（１２０ｂ）と垂直な平面として形成することもできるが、上記例におけるような円弧面部１２５とすることにより、バイト用ホルダ１００の強度低下の防止が図られるため、ビビリの発生防止にも有効である。
【００２６】
なお、横逃げ面１２０側から見たときの形状の凹面部１２３は、使用する切削チップ２００や加工条件等に応じて適宜に変更すれば良い。上記例では、凹面部１２３における「先端向き面１２５」を、ホルダ１００のすくい面１０５からその反対向き面に向けて、ホルダ１００の先後方向に延びる直線（１２０ｂ）と垂直となるものとしたが（図３、図７参照）、加工対象である被削物の外径が小さいものに限定されるような加工条件で使用されるような場合には、図７中、２点鎖線で示したように、先端向き面１２５を円弧状に、その反対向き面において先端側に向かうように形成してもよい。
【００２７】
また、上記例では、噴出口１５０を１つ設けた場合の実施例を示したが、図１０に示したように、この噴出口は、上下に複数も受けることとしてもよい。ただし、図１０に示したホルダ４００は、そのすくい面１０５に隆起状をなす凸部４１０を設けており、凹面部１２３が、この凸部４１０の先端向き面１２５においても上下に連なっており、凹面部１２３におけるすくい面１０５側から見たとき形状は図２と同形状のものである。本例では、この先端向き面１２５に、上下に３箇所の噴出口１５０ａ、１５０ｂ、１５０ｃが形成されている点など、上記例とはクーラントの噴出口に関する点のみが相違するだけであり、バイト用ホルダ４００の横逃げ面１２０に凸部がないことによる上記した効果についての相違はない。したがって、噴出口についての相違点のみ説明し、同一部位又はそれに対応する部位には同一の符号を付し、その説明を省略する。以下、他の例でも同様とする。
【００２８】
すなわち、本例では、凹面部１２３に、前記したように形成された先端向き面１２５のうち、上記例におけるのと同高さであるチップ座１１０と略同位に、中間の噴出口１５０ａが開口されている。そして、この噴出口１５０ａの下と、上とに、それぞれに、下の噴出口１５０ｂと、上の噴出口１５０ｃとがそれぞれ開口されている。いずれの噴出口も、クーラントの噴出方向を決めるその後方に続くノズル状の穴１５２は、その軸線（穴の軸線）が、チップ座１１０に固定される切削チップ２００における切れ刃２１５又はその先端（刃先コーナー）２１７に向けて横逃げ面２１０側において延びており、この各軸線に沿ってそれぞれクーラントが供給されるように形成されている。なお、上の噴出口１５０ｃは、その中心が、切削チップ２００のすくい面２２０と略同高さに設定されている。しかして、本例では、このように各噴出口の中心を位置させていることから、そのそれぞれの噴出口から切削を担う切れ刃２１５の横逃げ面１２０側において切れ刃コーナ２１７に向けてクーラントが供給され、多角的な方向からクーラントを切削箇所に集中して供給することができる。
【００２９】
なお、本例のように、噴出口を上下に複数設ける場合には、バイト用ホルダ４００におけるすくい面１０５側から底面に向けて、又はその逆に、各噴出口のノズル状の穴１５２に連通する縦穴１５９をあけて、その縦穴１５９の端にプラグをねじ込む等により閉塞すればよい。図１０では、バイト用ホルダ４００のすくい面１０５側において隆起する凸部４１０を設け、これを含めて凹面部１２３を形成した場合で説明したが、噴出口を複数設けるとしても、このような凸部４１０を設けることなく、図１のホルダ１００においても、上下に複数の噴出口を設けることもできる。
【００３０】
また、前例のように隆起する凸部４１０を設ける場合には、図１１、図１２に示したように、その隆起部４１０の先端面４１２にも、別途、クーラントの噴出口１６０を設けることもできる。すなわち、図１１、図１２に別例として示した切削工具６００におけるようにように、前記した図１０のホルダ４００において、隆起する凸部４１０のうちの先端面４１２に対し、別の噴出口１６０を設けることもできる。このようにすることで、この噴出口１６０から切削チップ２００のすくい面２２０側において、切れ刃２１５の先端（刃先コーナー）２１７に向けて斜め下向きに、ジェット流状にクーラントが噴出される。この図１１、図１２における別の噴出口１６０は、ホルダ４００のすくい面１０５より上方(上位)であって、すくい面１０５側から見たとき(図１２参照)、ホルダ４００の横逃げ面１２０及び凹面部１２３より内側(図１２の上側)に入り込んだ位置において開口されている。そして、この噴出口１６０は、噴出されるクーラントが、図１１、図１２中、２点鎖線Ｓ４で示したように、切削チップ２００のすくい面２２０の上を飛び越えるようにして、切れ刃２１５の先端（刃先コーナー）２１７に向けて、斜め下向きに吹付けられて供給され得るように形成されている。
【００３１】
しかして、本例では、切削中、凹面部１２３における後方の先端向き面をなす円弧面部(先端向き面)１２５に対し、図１０に示した切削工具５００におけるように、上下に３箇所設けた噴出口１５０ａ、１５０ｂ、１５０ｃのそれぞれから、切削チップ２００の横逃げ面２１０側において切れ刃２１５の先端（刃先コーナー）２１７に向けて、図１１中、２点鎖線Ｓ１、Ｓ２、Ｓ３で示したように噴出されるクーラントに加えて、２点鎖線Ｓ４で示したように、すくい面２２０の上を飛び越えるようにして切れ刃２１５の先端（刃先コーナー）２１７に向けてもクーラントが供給されるものであり、切り屑の一層好ましい処理作用が得られる。なお、別途設けた噴出口１６０は、クーラントが２点鎖線Ｓ４の方向に噴出されるように、それに続くノズル状の穴１６２を設け、それが、縦穴１５９に連通するように形成しておけばよい。
【００３２】
なお、前例のように、凸部４１０の形成によりその先端面４１２に噴出口１６０を開口させて、クーラントを、すくい面２２０の上を飛び越えて切れ刃２１５の先端（刃先コーナー）２１７に向けて供給する場合でも、図１３、図１４に示した切削工具７００のように、切削チップ２００の横逃げ面２１０側において切れ刃２１５の先端（刃先コーナー）２１７に向けてクーラントを供給するように先端向き面１２５に開口する噴出口１５０は、図１〜図４に示した実施形態のものと同様に、１か所、すなわち、図１０、図１１中に示された中間高さにある噴出口１５０ａに対応する部位のもののみとしてもよいし、そのうちのいずれか、又は適宜に選択した２か所としてもよい。なお、図１３では、凸部４１０は、その先後方向の寸法を図１１のものより短くしている。このように凸部４１０は、所望とする方向のクーラントの噴出ができる噴出口１６０、及びそれに連なるノズル状の穴１６２が設けられるように適宜に形成すればよい。因みに、図１３、図１４に示したように、凹面部１２３の先端向き面１２５に設ける噴出口１５０を、図１０、図１１における中間高さにある噴出口１５０ａのみとする場合には、上記例におけるように、枝流路１５３に、噴出口１５０に連なるノズル状の穴１５２を連通させ、凸部４１０の先端面４１２に設ける噴出口１６０に連なるノズル状の穴１６２は、上記例におけ主流路１５４を先端側に向けて延し、その先端において縦穴１５９を上向きに延ばして設け、これに連通するように設ければよい。クーラントが通過するノズル状の各穴等の流路は、主流路１５４を圧送されるクーラントが、各噴出口から噴出されるように、ホルダ４００内において適宜に連通するように形成し、不要な開口は、図示はしないが、ねじ込み式の栓等により塞ぐ（プラグする）こととすればよい。
【００３３】
上記例では、バイト用ホルダは、ひし形チップからなる切削チップを固定するものとして具体化したが、当然のことながら、三角等その他の多角形の切削チップを用いるものにも本発明は適用できる。また、その固定にネジ止方式のクランプ手段を用いた切削工具として具体化したが、これについても、例えば、別途の押さえ金で押さえつけるクランプ方式の切削工具においても具体化できる。なお、本発明におけるバイト用ホルダにおける凹面部の基準面からの凹み寸法（引下り幅Ｌ２）は、その後方に噴出口を設け得る先端向き面が形成でき、かつ、固定する切削チップの切れ刃コーナにおける横逃げ面側への突出量や、その他の加工条件に応じて適宜に設定すればよい。ただし、好ましくは、切削チップを固定した際において、すくい面側から見たとき、切削を担う切れ刃コーナが、基準面から外方（横逃げ面側）に突出せず、しかも、クーラントを切削を担う切れ刃に横逃げ面側において噴出できるように設定する。なお、クーラントの噴出口及びこれに連なる流路は、横断面が円形穴でなくもよいなど、その形状、数に制限はない。したがって、噴出口は、上下に延びるスリット状のものとして開口させてもよいなど、適宜の形状のものとして具体化できる。
【符号の説明】
【００３４】
１００、４００  バイト用ホルダ
１０２  ホルダの先端部位
１０３  ホルダの先端
１０５  ホルダのすくい面
１１０  チップ座
１２０  ホルダの横逃げ面
１２２  所定の範囲より後方部位
１２３  凹面部
１２５  凹面部における先端向き面（円弧面部）
１５０、１５０ａ，１５０ｂ，１５０ｃ  噴出口
２００  切削チップ
２１０  切削チップの横逃げ面
２１５  切削チップの切れ刃
２２０  切削チップのすくい面
３００，５００，６００，７００  切削工具
Ｌ１    先端から後端に向かう所定の範囲
Ｌ２  ホルダにおける後方部位における横逃げ面に沿って引いた仮想直線
【図１】
2015056496.tif 000003
【図２】
2015056496.tif 000004
【図３】
2015056496.tif 000005
【図４】
2015056496.tif 000006
【図５】
2015056496.tif 000007
【図６】
2015056496.tif 000008
【図７】
2015056496.tif 000009
【図８】
2015056496.tif 000010
【図９】
2015056496.tif 000011
【図１０】
2015056496.tif 000012
【図１１】
2015056496.tif 000013
【図１２】
2015056496.tif 000014
【図１３】
2015056496.tif 000015
【図１４】
2015056496.tif 000016
【手続補正書】
【提出日】平成28年2月5日(2016.2.5)
【手続補正１】
【補正対象書類名】特許請求の範囲
【補正対象項目名】全文
【補正方法】変更
【補正の内容】
【特許請求の範囲】
【請求項１】
自身の先端部位に切削チップを固定するためのチップ座を備え、そのチップ座に固定される切削チップの切れ刃に向けて、該切削チップの横逃げ面側からクーラントを供給し得るように開口された噴出口が、自身の横逃げ面側に設けられてなる外径加工用バイト用ホルダにおいて、
自身の先端部位の横逃げ面のうち、先端から後端に向かう所定の範囲に、それより後方部位の横逃げ面に対して相対的に凹む形で凹面部が形成され、前記噴出口を、この凹面部における先端向き面に設けたことを特徴とする外径加工用バイト用ホルダ。
【請求項２】
前記噴出口は、前記チップ座に切削チップが固定されたとき、そのすくい面より低位に位置し、かつ、斜め上向きにクーラントを噴出させるように開口されていることを特徴とする請求項１に記載の外径加工用バイト用ホルダ。
【請求項３】
前記噴出口は、上下方向に複数設けられていることを特徴とする請求項１又は２のいずれか１項に記載の外径加工用バイト用ホルダ。
【請求項４】
請求項１〜３のいずれか１項に記載の外径加工用バイト用ホルダにおけるチップ座に、切削チップを、すくい面側から見たとき、該外径加工用バイト用ホルダにおける前記後方部位における横逃げ面に沿って引いた仮想直線より突出することなく固定してなることを特徴とする外径加工用切削工具。
【手続補正２】
【補正対象書類名】明細書
【補正対象項目名】全文
【補正方法】変更
【補正の内容】
【発明の詳細な説明】
【技術分野】
【０００１】
本発明は、被削物（工作物）の旋削による外径加工に使用される外径加工用バイト用ホルダ、及びこの外径加工用バイト用ホルダの先端のチップ座に切削チップを固定してなる外径加工用切削工具に関する。
【背景技術】
【０００２】
従来、この種の外径加工用切削工具（以下、単に切削工具ともいう）において、クーラントを、切削チップ（スローアウェイチップなどの切削インサート）における切れ刃に、浴びせる形で供給するため、外径加工用バイト用ホルダ（以下、バイト用ホルダ、又は単にホルダともいう）内に流路を設けてなる切削工具が各種提案されている。このものは、ホルダの先端近傍においてその流路に連なる噴出口を開口させ、流路内を圧送するクーラント（切削液等）を、切れ刃をなす、すくい面等に向けて高圧ジェット流として供給するように構成されている。このような切削工具のうち、クーラントを、切れ刃をなす横逃げ面側に向けて噴射し得るように、バイト用ホルダ（本体）における横逃げ面側にその噴出口を設けた技術がある（特許文献１、特許文献２）。このような噴出口からクーラントを噴出するようにした切削工具においては、そのクーラントによって切れ刃（刃先）と被削物の冷却（温度上昇防止）の他、潤滑の作用効果も高く、逃げ面摩耗の防止にも有効とされる。加えて、横逃げ面側で切り屑を吹き飛ばす作用も得られることから、切り屑が切削工具に絡み付いたり、加工面を傷付けるのを防止する作用も得られるなど、切り屑の処理性においても有効とされている。なお、本願において、外径加工用バイト用ホルダに関して「横逃げ面」というときは、このホルダに固定される切削チップの横逃げ面と同向きの側面を意味するものとし、外径加工用バイト用ホルダに関して「すくい面」というときは、前記側面に対して、このホルダに固定される切削チップのすくい面と同向きの面を意味するものとする。
【０００３】
ところで、従来、旋削によって被削物を高精度に加工する場合、外径加工用切削工具は、旋盤のスピンドルヘッドや、被削物をチャックする爪のできるだけ近い位置にしてその使用に供されるべきである。とりわけ、小径の被削物(丸棒)の精密加工では、ブレ防止の観点から、その要請が高い。一方、被削物が所定の軸やピン状の部品であり、これを効率的に加工する場合には、回転する中空のスピンドル（主軸）の中を、加工素材（長尺の棒材）が通され、所定の加工を終了するごとに、所要の長さだけ自動的に送り出され、次の加工が行われるようにした自動材料送り出し装置を備えた旋盤（自動旋盤）が使用される。このような旋盤では、被削物であるその部品の加工に必要とされる複数の切削工具（外径加工用や溝入れ用等の切削工具）が、スピンドル（回転軸）の例えば上方において、この回転軸に直角方向に、間隔を保持し、かつ互いに平行に、櫛歯状の配置で刃物台に固定される。そして、切削に応じて刃物台を同直角方向に移動し、加工ごとに選択された切削工具による切り込みを行うため、刃物台の縦送り（回転軸の半径方向（例えば、下向き）への移動）を行うと共に、横送り（回転軸方向の送り）は、材料側において自動送りで行うことで、その加工が進められる。
【０００４】
このように、横送り（回転軸方向の送り）が被削物側において自動送りで行われる自動旋盤による旋削では、刃物台自体が、回転軸方向において、スピンドルヘッド（又はチャックの爪）の正面近傍に設けられるため、外径加工等のための切削工具は、必然的に、スピンドルヘッドの正面と干渉しない程度で、小さい空隙を保持して配置されることになる。そして、切削工具をなすバイト用ホルダ（シャンク）の横逃げ面、及びそれに設けられる切削チップにおける切れ刃コーナは、スピンドルヘッド（又はチャックの爪）に、可能な限り近接する配置で刃物台に取り付けられる。これは、上記した外径加工用切削工具における外径加工用バイト用ホルダのように、その横逃げ面側に、切れ刃に向けてクーラントを噴射するための噴出口を備えた切削工具を使用する場合においても同じである。
【先行技術文献】
【特許文献】
【０００５】
【特許文献１】特開平８−２５１１０号公報
【特許文献２】特開平８−７１８１３号公報
【発明の概要】
【発明が解決しようとする課題】
【０００６】
ところが、上記した従来技術における外径加工用切削工具においては、切削チップの切れ刃の横逃げ面にクーラントを供給するための噴出口が、外径加工用バイト用ホルダの横逃げ面側において隆起状に突出して設けられた突出部、又はアダプタなどの凸部における先端向き面に開口された形で設けられている。すなわち、上記従来の外径加工用切削工具においては、外径加工用バイト用ホルダにおける横逃げ面側に、クーラントの噴出口を設けるための凸部が突出状に設けられているため、この突出分、同切削工具の使用時においては、これをスピンドルヘッド（又はチャックの爪）の正面に近づけることができないばかりか、逆にその凸部がある分、離間させることになっていた。このように、従来のこの種の外径加工用切削工具においては、横逃げ面側におけるクーラントの供給は確保されるが、その反面、噴出口を設けるための凸部、すなわち、出っ張りがある分、スピンドルヘッドやチャックの爪から離間させて刃物台に固定することになることから、その離間分、チャックから離れた位置での切削となってしまうという問題があった。そして、このような問題は、小径の軸部材の超高精度仕上げにおいては、これが、ブレ等の発生要因ともなることから、顕在化しやすい。かといって、別途、ブレ止を設けることでは加工効率の低下を招いてしまう。
【０００７】
このような問題は、上記したように複数の切削工具を、被削物の回転軸方向において同位置となる配置で櫛歯状に固定する刃物台を有する自動旋盤では、他の切削工具も、その噴出口のための上記凸部を備えている外径加工用切削工具と同様に、離れた位置に配置することになることから、切削工程の全体にも及ぶことを意味する。また、このような問題は、材料の自動送り装置を有しない普通旋盤によって外径加工を行うため、外径加工用切削工具を固定した刃物台を横送りしてチャックに近い位置まで加工する場合でも、その凸部（出っ張り）が存在する分、それがない場合に比べると、切れ刃はチャックに近づけることができない。
【０００８】
本発明は、上記問題点に鑑みてなされたもので、従来の外径加工用切削工具のように、外径加工用バイト用ホルダの横逃げ面側に凸部を設けることなく、クーラントを切削チップの横逃げ面側において切れ刃に向けて供給し得る外径加工用バイト用ホルダを提供し、もって、そのクーラントの供給を確保しつつも、従来の外径加工用切削工具よりも、スピンドルヘッドやチャックに近接した位置において切削を行うことのできる外径加工用切削工具を提供することをその目的とする。
【課題を解決するための手段】
【０００９】
請求項１に記載の発明は、自身の先端部位に切削チップを固定するためのチップ座を備え、そのチップ座に固定される切削チップの切れ刃に向けて、該切削チップの横逃げ面側からクーラントを供給し得るように開口された噴出口が、自身の横逃げ面側に設けられてなる外径加工用バイト用ホルダにおいて、
自身の先端部位の横逃げ面のうち、先端から後端に向かう所定の範囲に、それより後方部位の横逃げ面に対して相対的に凹む形で凹面部が形成され、前記噴出口を、この凹面部における先端向き面に設けたことを特徴とする。
【００１０】
請求項２に記載の発明は、前記噴出口は、前記チップ座に切削チップが固定されたとき、そのすくい面より低位に位置し、かつ、斜め上向きにクーラントを噴出させるように開口されていることを特徴とする請求項１に記載の外径加工用バイト用ホルダである。
請求項３に記載の発明は、前記噴出口は、上下方向に複数設けられていることを特徴とする請求項１又は２のいずれか１項に記載の外径加工用バイト用ホルダである。
【００１１】
請求項４に記載の発明は、請求項１〜３のいずれか１項に記載の外径加工用バイト用ホルダにおけるチップ座に、切削チップを、すくい面側から見たとき、該外径加工用バイト用ホルダにおける前記後方部位における横逃げ面に沿って引いた仮想直線より突出することなく固定してなることを特徴とする外径加工用切削工具である。
【発明の効果】
【００１２】
本発明に係る外径加工用バイト用ホルダにおいては、上記した構成の通り、自身の先端部位の横逃げ面のうち、先端から後端に向かう所定の範囲に、それより後方部位の横逃げ面に対して相対的に凹む形で凹面部が形成され、前記噴出口を、この凹面部における先端向き面に設けている。このため、そのチップ座に、切削チップを固定してなる外径加工用切削工具とし、これを旋盤の刃物台に固定して被削物の外径加工や端面加工をする場合においては、切削チップの切れ刃に向けてその横逃げ面側からクーラントの供給ができる。そして、その外径加工用切削工具においては、その噴出口が、従来の外径加工用切削工具のように、外径加工用バイト用ホルダの横逃げ面側に設けられた突出部やアダプタ等の凸部（出っ張り）に設けられているのではなく、これとは逆に、すなわち、本発明では、そのような凸部を設けることなく、ホルダの先端部位の横逃げ面側に設けられた凹面部における先端向き面に設けられている。このように、本発明の外径加工用バイト用ホルダにおいてはその横逃げ面側に従来の外径加工用切削工具におけるような「凸部」といった出っ張りがないから、この外径加工用バイト用ホルダを含む外径加工用切削工具を自動旋盤等の刃物台に固定して外径加工をする場合においては、その切れ刃を、従来の外径加工用切削工具におけるような「凸部」がない分、スピンドルヘッド又はチャックの爪に、より近接させて配置して、その加工を行うことができる。これにより、横逃げ面側へのクーラントの供給を確保しつつも、従来の外径加工用切削工具を用いる場合に比べると、被削物が小径のものでも、ブレ等の問題も小さくできるため、効率的かつ高精度の加工を得ることができる。
【００１３】
本発明の外径加工用バイト用ホルダにおいて、前記凹面部が形成されている先後領域は、これが大きいほど、切り込み深さを大きくできるため、大径の被削物の端面の加工にも適する。したがって、前記凹面部が形成されている先後領域は、前記チップ座のうち、横逃げ面側が開放されている先後部位より大きい方がよいといえる。しかし、外径加工だけで、しかも、切り込み深さ（切り込み量）も小さく、切り屑排出性にも問題がなければ、前記凹面部が形成されている先後領域は、前記チップ座のうち、横逃げ面側が開放されている部位よりも小さくてもよい。
【００１４】
本発明の外径加工用バイト用ホルダの前記凹面部における「先端向き面」は、クーラントを先端側に向けて噴出させることのできる噴出口を開口させえる面であればよい。したがって、この「先端向き面」は、該凹面部のうち、外径加工用バイト用ホルダの先端から、この先端を正面として見た時に見える面に限られず、該凹面部において先端側を向く後端面若しくは後端寄り面である。より具体的には、例えば、凹面部の後端が、外径加工用バイト用ホルダの先後方向に直角な平面をなしているときは、その平面、すなわち、先端を向く平面となる。また、凹面部の後端が、すくい面側から見たとき、外径加工用バイト用ホルダの先後方向に直角でない平面をなしているときは、その平面となり、この平面は、すくい面側から見ると、外径加工用バイト用ホルダの先後方向に対し、傾斜したものとなる。さらに、凹面部の後端を含む後端寄り部位が、すくい面側から見たときにおいて、凹となす円弧状の線又は曲線をなしているときは、その曲線を含む面となる。
【００１５】
請求項２に記載の本発明のように噴出口を設ける場合には、そこから噴出されるクーラントによって、切り屑をすくい面から浮かす方への外力の付与となるから、切り屑が外径加工用切削工具に絡みつくのを防止する作用効果が得られる。一方、請求項３に記載の本発明のように噴出口を複数設けるとよい。なお、チップ座に、切削チップを固定して外径加工用切削工具とする場合には、請求項４に記載のように、すくい面側から見たとき、切削チップ、すなわち、その切れ刃が、該外径加工用バイト用ホルダにおける前記後方部位における横逃げ面に沿って引いた仮想直線より突出することなく固定するのがよい。
【図面の簡単な説明】
【００１６】
【図１】本発明の外径加工用バイト用ホルダを具体化した実施の形態例１の斜視図、及びその要部拡大図。
【図２】図１の外径加工用バイト用ホルダをすくい面側から見た図、及びその要部拡大図。
【図３】図１の外径加工用バイト用ホルダを、横逃げ面側から見た図、及びその要部拡大図。
【図４】図１の外径加工用バイト用ホルダを先端から見た拡大図。
【図５】図１の外径加工用バイト用ホルダのチップ座に切削チップを固定してなる切削工具の先端部位（要部）拡大斜視図。
【図６】図５の外径加工用切削工具で、チャックの近傍において被削物を切削しているときの、バイトホルダの横逃げ面、及び切削工具の切れ刃と、チャックの先端との位置関係を説明する、すくい面側から見た要部拡大図。
【図７】図６を横逃げ面側から見た図。
【図８】図６を外径加工用切削工具の先端から見た図。
【図９】噴出口を開口させる凹面部の後方における先端向き面の別例を説明するすくい面側から見た外径加工用バイト用ホルダの要部拡大図。
【図１０】本発明の外径加工用バイト用ホルダ及び外径加工用切削工具を具体化した別例の要部の拡大斜視図。
【図１１】本発明の外径加工用バイト用ホルダ及び外径加工用切削工具を具体化した別例の要部の拡大斜視図。
【図１２】図１１の外径加工用切削工具をすくい面側から見た図。
【図１３】本発明の外径加工用バイト用ホルダ及び外径加工用切削工具を具体化した別例の要部の拡大斜視図。
【図１４】Ａは図１３の外径加工用切削工具を横逃げ面側から見た図、Ｂは図１３の外径加工用切削工具をすくい面側から見た図。
【発明を実施するための形態】
【００１７】
本発明の外径加工用バイト用ホルダを具体化した実施の形態例について、図１〜図４に基づいて詳細に説明する。図中、１００は、バイト用ホルダであり、一定の矩形（長方形）横断面で先後に延びる棒材（四角棒材）を基材（ベース）として形成されており、その先端部位１０２の上面１０５（すくい面と同向き面。以下、すくい面ともいう）において、切削チップ（図５参照。本例では、２コーナを有するひし形チップ。以下、切削チップ２００ともいう）を着座させてネジ込み方式で固定（以下、ネジ止め）するためのチップ座１１０が凹設されている。ただし、このバイト用ホルダ１００は、その横逃げ面１２０側のうち、先端から後端に向かう所定の範囲Ｌ１（図２の拡大図参照）の横逃げ面１２０ａが、範囲Ｌ１より後方部位１２２の横逃げ面１２０ｂ（以下、基準面とも言う）より、その先後において凹む凹面部１２３をなしている。この凹面部１２３のうち、これをすくい面１０５側から見た輪郭、すなわち、詳細は後述するが、チップ座１１０における横逃げ面側の端縁は、その先端を含む先端寄り部位が、固定される切削チップ（ひし形チップ）２００の一辺をなす横逃げ面２１０形状（切れ刃２１５の形状）に沿うものとされている（図２参照）。このため、本例では、切削チップ２００をなすひし形チップを、その先端において切削を担う鋭角コーナーが、ホルダ１００の横逃げ面１２０側に適量突出するように、すくい面１０５側から見たとき、この凹面部１２３は後方に行くに従ってその凹み量が大きなるレーキ角（バックレーキ）が３度程度付けられており、先端から後方に向かう所定範囲が直線をなしている。
【００１８】
これにより、外径加工用バイト用ホルダ１００は、この凹面部１２３をすくい面１０５側から見たとき、その凹面部１２３の形成領域Ｌ１であるホルダ１００の先端部位１０２の幅寸法は、その後方部位１２２よりも小さくなっている。ただし、この凹面部１２３のうちの、後端寄り部位は、すくい面１０５側から見て凹となす円弧状の円弧面部１２５をなしており、この円弧面部１２５を介し、これに続く後方部位１２２の横逃げ面１２０ｂが、相対的に幅広をなしている。なお、この円弧面部１２５のうち、チップ座（座面）１１０に相当する高さ部位には、詳細は後述するが、クーラントの噴出口（穴）１５０が開口されている。この噴出口１５０は、このホルダ１００内にトンネル状に設けられたクーラント供給用の流路内を圧送されるクーラントが、チップ座１１０に固定される切削チップ２００の横逃げ面２１０側において、切れ刃２１５又はその先端（刃先コーナー）２１７に向けて供給され得るように形成されている。
【００１９】
一方、本例においてチップ座１１０は、外径加工用バイト用ホルダ１００の先後領域のうち、上記凹面部１２３の形成されている先後領域Ｌ１内において形成されている。本例では、このチップ座１１０は、この凹面部１２３の形成されている先後領域Ｌ１において、横逃げ面１２０側と、先端１０３側を開放する形で、平面視（すくい面側から見たとき）、略ひし形となるように凹設されている。この凹設により、チップ座１１０はすくい面１０５側から見て、バイト用ホルダ１００が先後に延びる方向に対し、先端側が横逃げ面１２０側を向くように、３度程度傾斜して設けられた背面側（横逃げ面１２０側と反対側）拘束壁１１３と、これと鋭角で交差し、斜め先端を向く先端向き拘束壁面１１５とで、ひし形チップの２辺を拘束するように形成されている。このチップ座（座面）１１０は、横逃げ面１２０側を向いて開放された凹面部１２３側縁、及び先端１０３側縁とを端縁とするひし形の平面をなしている。なお、この各拘束壁面１１３，１１５のチップ座１１０からの高さ（壁高さ）は、固定される切削チップ２００の厚みと略同じか、それより微量小さく設定されている。ただし、本例では固定される切削チップ２００がポジタイプのものであるため、その逃げ面を実際に拘束する各壁面は、上方が広がる傾斜壁とされている。また、先端向き拘束壁面１１５のうち、横逃げ面１２０側端縁は、すくい面１０５側から見たとき、円弧面部１２５よりも先端側１０３に位置するように形成されている。なお、チップ座１１０は、その略中央に、切削チップ２００（穴付きチップ）を止ネジ２５０で固定するためのネジ穴１１１を有している。また、すくい面１０５側から見て、この両拘束壁面１１３，１１５の交差部には、ひし形チップ２００の鋭角コーナーを逃がすための凹部（逃げ）１１６が設けられている。
【００２０】
このような本例の外径加工用バイト用ホルダ１００においては、図５に示したように、チップ座１１０に、ひし形の切削チップ２００を着座させて、止ネジ２５０によってネジ止めしたとき、バイト用ホルダ１００の先端１０３において、チップ座１１０から先方に突出する切れ刃コーナ（刃先）２１７が、ホルダ１００の凹面部１２３より適量Ｔ１、ホルダ１００の横逃げ面１２０側に突出するように設定されている（図２の拡大図参照）。ただし、この切れ刃コーナー２１７におけるホルダ１００の横逃げ面１２０側への突出量Ｔ１は、すくい面側から見たとき、凹面部１２３の領域内とされる。すなわち、この切れ刃コーナー２１７は、すくい面１０５側から見たとき、バイト用ホルダ１００における凹面部１２３の後方部位１２２の横逃げ面（基準面）１２０ｂに沿って引いた直線（仮想直線）Ｌ２より外方に突出しないように設定されている。
【００２１】
さて、本例の外径加工用バイト用ホルダ１００においては、上記もしたように、凹面部１２３における後端又は後端寄り部位に位置して先端向き面をなすところの円弧面部（本発明における先端向き面）１２５のうち、チップ座１１０（座面の平面）に相当する高さ部位に、クーラントの噴出口（穴）１５０が開口されている。この噴出口１５０は、横断面が円形のノズル状の穴１５２の先端である。そして、このノズル状の穴１５２は、すくい面１０５側から見たとき（図２参照）、その軸線（穴の軸線）が、チップ座１１０に固定される切削チップ２００における横逃げ面２１０の先端（切れ刃コーナー２１７寄り部位）近傍を、切削チップ２００の横逃げ面２１０側において通るようにされている（図２の拡大図、図６参照）。このすくい面１０５側から見たこの軸線は、本例ではホルダ１００の先後方向に向かう線（例えば、仮想直線Ｌ２）に平行に設けられているが、これは、すくい面側から見たときの噴出口１５０の位置と、チップ座１１０に固定される切削チップ２００のうち、切削を担う横逃げ面２１０の先端（切れ刃コーナー２１７）との位置関係で、適宜の傾斜角をつけてもよい。そして、切削チップ２００における横逃げ面２１０側から見たときの（図３参照）、そのノズル状の穴１５２の軸線は、その切削チップ２００のうち、切削を担う切れ刃２１５の先端（切れ刃コーナー２１７）のすくい面２２０寄り部位に向かうように上向きに傾斜する直線をなしている。これは、本例では噴出口１５０をチップ座１１０と同位（同じ高さ）としたためであるが、これが例えば、切削チップ２００のすくい面２２０と同高さ位置において開口されている場合には、ホルダ１００のすくい面に平行となるようにすればよい。また、切削チップ２００のすくい面２２０より上方において開口するものとしてもよいが、その場合には、そのノズル状の穴１５２の軸線が、上記したのと逆に、切削チップ２００のうち、切削を担う切れ刃２１５の先端の切れ刃コーナー２１７におけるすくい面２２０寄り部位に向かうように下向きに傾斜する直線となる。
【００２２】
一方、この噴出口１５０からクーラントを噴出させるための流路は、次のように形成されている（図２〜図４参照）。すなわち、本例では、外径加工用バイト用ホルダ１００の後端面１０７から先端１０３に向けて、ホルダ１００の先後方向に延びる軸を中心軸として、ホルダ１００内にトンネル状にクーラント供給用の主流路１５４が形成されている。この主流路１５４は、チップ座１１０の後方においてその先端が閉塞された止まり穴をなしており、その先端寄り部位において、前記した噴出口１５０の開口に連なるノズル状の穴１５２に連通するように、横向きに、本例では横逃げ面１２０と反対側の面１２８から穿孔された止まり穴からなる枝流路１５３が形成されている。これにより、本例のホルダ１００では、外部から主流路１５４に圧送されるクーラントは、図２の拡大図中に矢印で示したように、枝流路１５３、ノズル状の穴１５２を通過して、噴出口１５０から上記した軸線方向にジェット流状に噴出される。なお、本例では、クーラント配管接続口（配管接続ネジ部）１５５が、バイト用ホルダ１００の後端面１０７と、後端寄りの横逃げ面１２０側と反対側の一側面１２８にも、互いに連通するように設けられており、その接続口が選択できるように設定されており、使用されない接続口にはプラグをねじ込むことで閉塞すればよい。なお、枝流路１５３の開口端も、図示はしないが、例えばプラグがねじ込まれて閉塞される。
【００２３】
しかして、上記した本例の外径加工用バイト用ホルダ１００によれば、これのチップ座１１０に上記したように、所定の切削チップ２００をねじ込み方式により固定することで、図５、図６等に示したような外径加工用切削工具３００となる。そして、この切削工具３００を旋盤の刃物台Ｈｄに固定して、例えば、チャックＣｋに保持（固定）された被削物（丸棒）Ｗの外径加工をする場合においては、クーラント配管接続口１５５に所定の配管を接続してクーラントを圧送することにより、これをジェット流状態で、上記したところの切削箇所に供給することができる。すなわち、本例では、バイト用ホルダ１００における円弧面部１２５のなす先端向き面（先端向き面１２５ともいう）に、上記したようにクーラントの噴出口１５０を備えているから、その切削過程では、その切削を受け持つ切れ刃２１５における切れ刃コーナー２１７に向けて横逃げ面１２０側から所望とする形態でクーラントを供給することができる。これにより、切れ刃（刃先）２１５と被削物Ｗと間の潤滑、及びその両者の冷却ができるのみならず、その設定された噴出方向により、発生する切り屑を切削部位から引き離す作用が得られるため、効果的な切り屑の処理性能が得られる。なお、図７に示したように、クーラントは、すくい面２２０側に向けて斜め上向きに噴出するとともに、図８に示したように、切削チップ２００のすくい面２２０の下においてポジをなす逃げ面２１０と、被削物Ｗとの隙間に供給される。
【００２４】
そして、本例の外径加工用切削工具３００において重要なのは、その噴出口１５０が、従来の切削工具のように、外径加工用バイト用ホルダの横逃げ面側において設けられた突出部やアダプタ等の凸部に設けられているのではなく、これとは全く逆に、そのような凸部を設けることなく、ホルダ１００の先端部位１０２の横逃げ面１２０側に設けられた凹面部１２３における後方の先端向き面をなす円弧面部１２５において開口されている点にあることである。すなわち、本例の切削工具３００は、従来の切削工具のようにホルダの横逃げ面側に出っ張る形で設けられた、噴出口形成のための凸部がない。このため、本例の切削工具３００を用いることによる旋削においては、図６に示したように、旋盤におけるチャック（又はスピンドルヘッド）Ｃｋに、バイト用ホルダ１００の基準面１２０ｂを、従来の切削工具の場合よりも凸部がない分、近づけることができる。これにより、被削物Ｗの加工が、チャックＣｋにより近い位置において行うことができるため、小径丸棒の加工においてもブレ等による問題もなく、効率的かつ高精度の加工を行うことができる。すなわち、自動材料送り出し装置を備えた自動旋盤による加工のように、外径加工用切削工具が、縦送り（切り込み方向の送り）のみなされる場合においては、他の切削工具も櫛歯状の配置で同じ刃物台に固定されるため、その効果は他の切削工具にも及ぶから、著しい効果が得られる。
【００２５】
上記例の外径加工用バイト用ホルダ１００においては、凹面部１２３の後端において先端を向く先端向き面が円弧面部１２５である。一方、本願発明では、上記したことからも明らかであるが、凹面部１２３における「先端向き面」は、クーラントをホルダ１００の先方に向けて噴出させ得る噴出口１５０を開口させ得る面（部位）であればよい。したがって、上記もしたが、図９に示したように、この先端向き面１２５は、ホルダ１００の先後方向に延びる直線（１２０ｂ）と垂直な平面として形成することもできるが、上記例におけるような円弧面部１２５とすることにより、バイト用ホルダ１００の強度低下の防止が図られるため、ビビリの発生防止にも有効である。
【００２６】
なお、横逃げ面１２０側から見たときの形状の凹面部１２３は、使用する切削チップ２００や加工条件等に応じて適宜に変更すれば良い。上記例では、凹面部１２３における「先端向き面１２５」を、外径加工用バイト用ホルダ１００のすくい面１０５からその反対向き面に向けて、ホルダ１００の先後方向に延びる直線（１２０ｂ）と垂直となるものとしたが（図３、図７参照）、加工対象である被削物の外径が小さいものに限定されるような加工条件で使用されるような場合には、図７中、２点鎖線で示したように、先端向き面１２５を円弧状に、その反対向き面において先端側に向かうように形成してもよい。
【００２７】
また、上記例では、噴出口１５０を１つ設けた場合の実施例を示したが、図１０に示したように、この噴出口は、上下に複数も受けることとしてもよい。ただし、図１０に示した外径加工用バイト用ホルダ４００は、そのすくい面１０５に隆起状をなす凸部４１０を設けており、凹面部１２３が、この凸部４１０の先端向き面１２５においても上下に連なっており、凹面部１２３におけるすくい面１０５側から見たとき形状は図２と同形状のものである。本例では、この先端向き面１２５に、上下に３箇所の噴出口１５０ａ、１５０ｂ、１５０ｃが形成されている点など、上記例とはクーラントの噴出口に関する点のみが相違するだけであり、バイト用ホルダ４００の横逃げ面１２０に凸部がないことによる上記した効果についての相違はない。したがって、噴出口についての相違点のみ説明し、同一部位又はそれに対応する部位には同一の符号を付し、その説明を省略する。以下、他の例でも同様とする。
【００２８】
すなわち、本例では、凹面部１２３に、前記したように形成された先端向き面１２５のうち、上記例におけるのと同高さであるチップ座１１０と略同位に、中間の噴出口１５０ａが開口されている。そして、この噴出口１５０ａの下と、上とに、それぞれに、下の噴出口１５０ｂと、上の噴出口１５０ｃとがそれぞれ開口されている。いずれの噴出口も、クーラントの噴出方向を決めるその後方に続くノズル状の穴１５２は、その軸線（穴の軸線）が、チップ座１１０に固定される切削チップ２００における切れ刃２１５又はその先端（刃先コーナー）２１７に向けて横逃げ面２１０側において延びており、この各軸線に沿ってそれぞれクーラントが供給されるように形成されている。なお、上の噴出口１５０ｃは、その中心が、切削チップ２００のすくい面２２０と略同高さに設定されている。しかして、本例では、このように各噴出口の中心を位置させていることから、そのそれぞれの噴出口から切削を担う切れ刃２１５の横逃げ面１２０側において切れ刃コーナ２１７に向けてクーラントが供給され、多角的な方向からクーラントを切削箇所に集中して供給することができる。
【００２９】
なお、本例のように、噴出口を上下に複数設ける場合には、外径加工用バイト用ホルダ４００におけるすくい面１０５側から底面に向けて、又はその逆に、各噴出口のノズル状の穴１５２に連通する縦穴１５９をあけて、その縦穴１５９の端にプラグをねじ込む等により閉塞すればよい。図１０では、バイト用ホルダ４００のすくい面１０５側において隆起する凸部４１０を設け、これを含めて凹面部１２３を形成した場合で説明したが、噴出口を複数設けるとしても、このような凸部４１０を設けることなく、図１のホルダ１００においても、上下に複数の噴出口を設けることもできる。
【００３０】
また、前例のように隆起する凸部４１０を設ける場合には、図１１、図１２に示したように、その隆起部４１０の先端面４１２にも、別途、クーラントの噴出口１６０を設けることもできる。すなわち、図１１、図１２に別例として示した外径加工用切削工具６００におけるようにように、前記した図１０の外径加工用バイト用ホルダ４００において、隆起する凸部４１０のうちの先端面４１２に対し、別の噴出口１６０を設けることもできる。このようにすることで、この噴出口１６０から切削チップ２００のすくい面２２０側において、切れ刃２１５の先端（刃先コーナー）２１７に向けて斜め下向きに、ジェット流状にクーラントが噴出される。この図１１、図１２における別の噴出口１６０は、ホルダ４００のすくい面１０５より上方(上位)であって、すくい面１０５側から見たとき(図１２参照)、ホルダ４００の横逃げ面１２０及び凹面部１２３より内側(図１２の上側)に入り込んだ位置において開口されている。そして、この噴出口１６０は、噴出されるクーラントが、図１１、図１２中、２点鎖線Ｓ４で示したように、切削チップ２００のすくい面２２０の上を飛び越えるようにして、切れ刃２１５の先端（刃先コーナー）２１７に向けて、斜め下向きに吹付けられて供給され得るように形成されている。
【００３１】
しかして、本例では、切削中、凹面部１２３における後方の先端向き面をなす円弧面部(先端向き面)１２５に対し、図１０に示した外径加工用切削工具５００におけるように、上下に３箇所設けた噴出口１５０ａ、１５０ｂ、１５０ｃのそれぞれから、切削チップ２００の横逃げ面２１０側において切れ刃２１５の先端（刃先コーナー）２１７に向けて、図１１中、２点鎖線Ｓ１、Ｓ２、Ｓ３で示したように噴出されるクーラントに加えて、２点鎖線Ｓ４で示したように、すくい面２２０の上を飛び越えるようにして切れ刃２１５の先端（刃先コーナー）２１７に向けてもクーラントが供給されるものであり、切り屑の一層好ましい処理作用が得られる。なお、別途設けた噴出口１６０は、クーラントが２点鎖線Ｓ４の方向に噴出されるように、それに続くノズル状の穴１６２を設け、それが、縦穴１５９に連通するように形成しておけばよい。
【００３２】
なお、前例のように、凸部４１０の形成によりその先端面４１２に噴出口１６０を開口させて、クーラントを、すくい面２２０の上を飛び越えて切れ刃２１５の先端（刃先コーナー）２１７に向けて供給する場合でも、図１３、図１４に示した外径加工用切削工具７００のように、切削チップ２００の横逃げ面２１０側において切れ刃２１５の先端（刃先コーナー）２１７に向けてクーラントを供給するように先端向き面１２５に開口する噴出口１５０は、図１〜図４に示した実施形態のものと同様に、１か所、すなわち、図１０、図１１中に示された中間高さにある噴出口１５０ａに対応する部位のもののみとしてもよいし、そのうちのいずれか、又は適宜に選択した２か所としてもよい。なお、図１３では、凸部４１０は、その先後方向の寸法を図１１のものより短くしている。このように凸部４１０は、所望とする方向のクーラントの噴出ができる噴出口１６０、及びそれに連なるノズル状の穴１６２が設けられるように適宜に形成すればよい。因みに、図１３、図１４に示したように、凹面部１２３の先端向き面１２５に設ける噴出口１５０を、図１０、図１１における中間高さにある噴出口１５０ａのみとする場合には、上記例におけるように、枝流路１５３に、噴出口１５０に連なるノズル状の穴１５２を連通させ、凸部４１０の先端面４１２に設ける噴出口１６０に連なるノズル状の穴１６２は、上記例におけ主流路１５４を先端側に向けて延し、その先端において縦穴１５９を上向きに延ばして設け、これに連通するように設ければよい。クーラントが通過するノズル状の各穴等の流路は、主流路１５４を圧送されるクーラントが、各噴出口から噴出されるように、ホルダ４００内において適宜に連通するように形成し、不要な開口は、図示はしないが、ねじ込み式の栓等により塞ぐ（プラグする）こととすればよい。
【００３３】
上記例では、外径加工用バイト用ホルダは、ひし形チップからなる切削チップを固定するものとして具体化したが、当然のことながら、三角等その他の多角形の切削チップを用いるものにも本発明は適用できる。また、その固定にネジ止方式のクランプ手段を用いた切削工具として具体化したが、これについても、例えば、別途の押さえ金で押さえつけるクランプ方式の切削工具においても具体化できる。なお、本発明における外径加工用バイト用ホルダにおける凹面部の基準面からの凹み寸法（引下り幅Ｌ２）は、その後方に噴出口を設け得る先端向き面が形成でき、かつ、固定する切削チップの切れ刃コーナにおける横逃げ面側への突出量や、その他の加工条件に応じて適宜に設定すればよい。ただし、好ましくは、切削チップを固定した際において、すくい面側から見たとき、切削を担う切れ刃コーナが、基準面から外方（横逃げ面側）に突出せず、しかも、クーラントを切削を担う切れ刃に横逃げ面側において噴出できるように設定する。なお、クーラントの噴出口及びこれに連なる流路は、横断面が円形穴でなくもよいなど、その形状、数に制限はない。したがって、噴出口は、上下に延びるスリット状のものとして開口させてもよいなど、適宜の形状のものとして具体化できる。
【符号の説明】
【００３４】
１００、４００  外径加工用バイト用ホルダ
１０２  ホルダの先端部位
１０３  ホルダの先端
１０５  ホルダのすくい面
１１０  チップ座
１２０  ホルダの横逃げ面
１２２  所定の範囲より後方部位
１２３  凹面部
１２５  凹面部における先端向き面（円弧面部）
１５０、１５０ａ，１５０ｂ，１５０ｃ  噴出口
２００  切削チップ
２１０  切削チップの横逃げ面
２１５  切削チップの切れ刃
２２０  切削チップのすくい面
３００，５００，６００，７００  外径加工用切削工具
Ｌ１    先端から後端に向かう所定の範囲
Ｌ２  ホルダにおける後方部位における横逃げ面に沿って引いた仮想直線
【手続補正書】
【提出日】平成28年7月18日(2016.7.18)
【手続補正１】
【補正対象書類名】特許請求の範囲
【補正対象項目名】全文
【補正方法】変更
【補正の内容】
【特許請求の範囲】
【請求項１】
自身の先端部位に切削チップを固定するためのチップ座を備え、そのチップ座に固定される切削チップの切れ刃に向けて、該切削チップの横逃げ面側からクーラントを供給し得るように開口された噴出口が、自身の横逃げ面側に設けられてなる横送りを伴う外径加工用バイト用ホルダにおいて、
自身の先端部位の横逃げ面のうち、先端から後端に向かう所定の範囲に、それより後方部位の横逃げ面に対して相対的に凹む形で凹面部が形成され、前記噴出口を、この凹面部における先端向き面に設けたことを特徴とする横送りを伴う外径加工用バイト用ホルダ。
【請求項２】
前記噴出口は、前記チップ座に切削チップが固定されたとき、そのすくい面より低位に位置し、かつ、斜め上向きにクーラントを噴出させるように開口されていることを特徴とする請求項１に記載の横送りを伴う外径加工用バイト用ホルダ。
【請求項３】
前記噴出口は、上下方向に複数設けられていることを特徴とする請求項１又は２のいずれか１項に記載の横送りを伴う外径加工用バイト用ホルダ。
【請求項４】
請求項１〜３のいずれか１項に記載の横送りを伴う外径加工用バイト用ホルダにおけるチップ座に、切削チップを、すくい面側から見たとき、該横送りを伴う外径加工用バイト用ホルダにおける前記後方部位における横逃げ面に沿って引いた仮想直線より突出することなく固定してなることを特徴とする横送りを伴う外径加工用切削工具。
【手続補正２】
【補正対象書類名】明細書
【補正対象項目名】全文
【補正方法】変更
【補正の内容】
【発明の詳細な説明】
【技術分野】
【０００１】
本発明は、被削物（工作物）の旋削による横送りを伴う外径加工に使用される横送りを伴う外径加工用バイト用ホルダ、及びこの横送りを伴う外径加工用バイト用ホルダの先端のチップ座に切削チップを固定してなる横送りを伴う外径加工用切削工具に関する。
【背景技術】
【０００２】
従来、この種の横送りを伴う外径加工用切削工具（以下、外径加工用切削工具又は単に切削工具ともいう）において、クーラントを、切削チップ（スローアウェイチップなどの切削インサート）における切れ刃に、浴びせる形で供給するため、横送りを伴う外径加工用バイト用ホルダ（以下、外径加工用バイト用ホルダ、バイト用ホルダ、又は単にホルダともいう）内に流路を設けてなる切削工具が各種提案されている。このものは、ホルダの先端近傍においてその流路に連なる噴出口を開口させ、流路内を圧送するクーラント（切削液等）を、切れ刃をなす、すくい面等に向けて高圧ジェット流として供給するように構成されている。このような切削工具のうち、クーラントを、切れ刃をなす横逃げ面側に向けて噴射し得るように、バイト用ホルダ（本体）における横逃げ面側にその噴出口を設けた技術がある（特許文献１、特許文献２）。このような噴出口からクーラントを噴出するようにした切削工具においては、そのクーラントによって切れ刃（刃先）と被削物の冷却（温度上昇防止）の他、潤滑の作用効果も高く、逃げ面摩耗の防止にも有効とされる。加えて、横逃げ面側で切り屑を吹き飛ばす作用も得られることから、切り屑が切削工具に絡み付いたり、加工面を傷付けるのを防止する作用も得られるなど、切り屑の処理性においても有効とされている。なお、本願において、横送りを伴う外径加工用バイト用ホルダに関して「横逃げ面」というときは、このホルダに固定される切削チップの横逃げ面と同向きの側面を意味するものとし、横送りを伴う外径加工用バイト用ホルダに関して「すくい面」というときは、前記側面に対して、このホルダに固定される切削チップのすくい面と同向きの面を意味するものとする。
【０００３】
ところで、従来、旋削によって被削物を高精度に加工する場合、横送りを伴う外径加工用切削工具は、旋盤のスピンドルヘッドや、被削物をチャックする爪のできるだけ近い位置にしてその使用に供されるべきである。とりわけ、小径の被削物(丸棒)の精密加工では、ブレ防止の観点から、その要請が高い。一方、被削物が所定の軸やピン状の部品であり、これを効率的に加工する場合には、回転する中空のスピンドル（主軸）の中を、加工素材（長尺の棒材）が通され、所定の加工を終了するごとに、所要の長さだけ自動的に送り出され、次の加工が行われるようにした自動材料送り出し装置を備えた旋盤（自動旋盤）が使用される。このような旋盤では、被削物であるその部品の加工に必要とされる複数の切削工具（横送りを伴う外径加工用や溝入れ用等の切削工具）が、スピンドル（回転軸）の例えば上方において、この回転軸に直角方向に、間隔を保持し、かつ互いに平行に、櫛歯状の配置で刃物台に固定される。そして、切削に応じて刃物台を同直角方向に移動し、加工ごとに選択された切削工具による切り込みを行うため、刃物台の縦送り（回転軸の半径方向（例えば、下向き）への移動）を行うと共に、横送り（回転軸方向の送り）は、材料側において自動送りで行うことで、その加工が進められる。
【０００４】
このように、横送り（回転軸方向の送り）が被削物側において自動送りで行われる自動旋盤による旋削では、刃物台自体が、回転軸方向において、スピンドルヘッド（又はチャックの爪）の正面近傍に設けられるため、外径加工等のための切削工具は、必然的に、スピンドルヘッドの正面と干渉しない程度で、小さい空隙を保持して配置されることになる。そして、切削工具をなすバイト用ホルダ（シャンク）の横逃げ面、及びそれに設けられる切削チップにおける切れ刃コーナは、スピンドルヘッド（又はチャックの爪）に、可能な限り近接する配置で刃物台に取り付けられる。これは、上記した横送りを伴う外径加工用切削工具における横送りを伴う外径加工用バイト用ホルダのように、その横逃げ面側に、切れ刃に向けてクーラントを噴射するための噴出口を備えた切削工具を使用する場合においても同じである。
【先行技術文献】
【特許文献】
【０００５】
【特許文献１】特開平８−２５１１０号公報
【特許文献２】特開平８−７１８１３号公報
【発明の概要】
【発明が解決しようとする課題】
【０００６】
ところが、上記した従来技術における横送りを伴う外径加工用切削工具においては、切削チップの切れ刃の横逃げ面にクーラントを供給するための噴出口が、横送りを伴う外径加工用バイト用ホルダの横逃げ面側において隆起状に突出して設けられた突出部、又はアダプタなどの凸部における先端向き面に開口された形で設けられている。すなわち、上記従来の横送りを伴う外径加工用切削工具においては、横送りを伴う外径加工用バイト用ホルダにおける横逃げ面側に、クーラントの噴出口を設けるための凸部が突出状に設けられているため、この突出分、同切削工具の使用時においては、これをスピンドルヘッド（又はチャックの爪）の正面に近づけることができないばかりか、逆にその凸部がある分、離間させることになっていた。このように、従来のこの種の横送りを伴う外径加工用切削工具においては、横逃げ面側におけるクーラントの供給は確保されるが、その反面、噴出口を設けるための凸部、すなわち、出っ張りがある分、スピンドルヘッドやチャックの爪から離間させて刃物台に固定することになることから、その離間分、チャックから離れた位置での切削となってしまうという問題があった。そして、このような問題は、小径の軸部材の超高精度仕上げにおいては、これが、ブレ等の発生要因ともなることから、顕在化しやすい。かといって、別途、ブレ止を設けることでは加工効率の低下を招いてしまう。
【０００７】
このような問題は、上記したように複数の切削工具を、被削物の回転軸方向において同位置となる配置で櫛歯状に固定する刃物台を有する自動旋盤では、他の切削工具も、その噴出口のための上記凸部を備えている横送りを伴う外径加工用切削工具と同様に、離れた位置に配置することになることから、切削工程の全体にも及ぶことを意味する。また、このような問題は、材料の自動送り装置を有しない普通旋盤によって外径加工を行うため、横送りを伴う外径加工用切削工具を固定した刃物台を横送りしてチャックに近い位置まで加工する場合でも、その凸部（出っ張り）が存在する分、それがない場合に比べると、切れ刃はチャックに近づけることができない。
【０００８】
本発明は、上記問題点に鑑みてなされたもので、従来の横送りを伴う外径加工用切削工具のように、横送りを伴う外径加工用バイト用ホルダの横逃げ面側に凸部を設けることなく、クーラントを切削チップの横逃げ面側において切れ刃に向けて供給し得る横送りを伴う外径加工用バイト用ホルダを提供し、もって、そのクーラントの供給を確保しつつも、従来の横送りを伴う外径加工用切削工具よりも、スピンドルヘッドやチャックに近接した位置において切削を行うことのできる横送りを伴う外径加工用切削工具を提供することをその目的とする。
【課題を解決するための手段】
【０００９】
請求項１に記載の発明は、自身の先端部位に切削チップを固定するためのチップ座を備え、そのチップ座に固定される切削チップの切れ刃に向けて、該切削チップの横逃げ面側からクーラントを供給し得るように開口された噴出口が、自身の横逃げ面側に設けられてなる横送りを伴う外径加工用バイト用ホルダにおいて、
自身の先端部位の横逃げ面のうち、先端から後端に向かう所定の範囲に、それより後方部位の横逃げ面に対して相対的に凹む形で凹面部が形成され、前記噴出口を、この凹面部における先端向き面に設けたことを特徴とする。
【００１０】
請求項２に記載の発明は、前記噴出口は、前記チップ座に切削チップが固定されたとき、そのすくい面より低位に位置し、かつ、斜め上向きにクーラントを噴出させるように開口されていることを特徴とする請求項１に記載の横送りを伴う外径加工用バイト用ホルダである。
請求項３に記載の発明は、前記噴出口は、上下方向に複数設けられていることを特徴とする請求項１又は２のいずれか１項に記載の横送りを伴う外径加工用バイト用ホルダである。
【００１１】
請求項４に記載の発明は、請求項１〜３のいずれか１項に記載の横送りを伴う外径加工用バイト用ホルダにおけるチップ座に、切削チップを、すくい面側から見たとき、該横送りを伴う外径加工用バイト用ホルダにおける前記後方部位における横逃げ面に沿って引いた仮想直線より突出することなく固定してなることを特徴とする横送りを伴う外径加工用切削工具である。
【発明の効果】
【００１２】
本発明に係る横送りを伴う外径加工用バイト用ホルダにおいては、上記した構成の通り、自身の先端部位の横逃げ面のうち、先端から後端に向かう所定の範囲に、それより後方部位の横逃げ面に対して相対的に凹む形で凹面部が形成され、前記噴出口を、この凹面部における先端向き面に設けている。このため、そのチップ座に、切削チップを固定してなる横送りを伴う外径加工用切削工具とし、これを旋盤の刃物台に固定して被削物の外径加工や端面加工をする場合においては、切削チップの切れ刃に向けてその横逃げ面側からクーラントの供給ができる。そして、その横送りを伴う外径加工用切削工具においては、その噴出口が、従来の横送りを伴う外径加工用切削工具のように、横送りを伴う外径加工用バイト用ホルダの横逃げ面側に設けられた突出部やアダプタ等の凸部（出っ張り）に設けられているのではなく、これとは逆に、すなわち、本発明では、そのような凸部を設けることなく、ホルダの先端部位の横逃げ面側に設けられた凹面部における先端向き面に設けられている。このように、本発明の横送りを伴う外径加工用バイト用ホルダにおいてはその横逃げ面側に従来の横送りを伴う外径加工用切削工具におけるような「凸部」といった出っ張りがないから、この横送りを伴う外径加工用バイト用ホルダを含む横送りを伴う外径加工用切削工具を自動旋盤等の刃物台に固定して外径加工をする場合においては、その切れ刃を、従来の横送りを伴う外径加工用切削工具におけるような「凸部」がない分、スピンドルヘッド又はチャックの爪に、より近接させて配置して、その加工を行うことができる。これにより、横逃げ面側へのクーラントの供給を確保しつつも、従来の横送りを伴う外径加工用切削工具を用いる場合に比べると、被削物が小径のものでも、ブレ等の問題も小さくできるため、効率的かつ高精度の加工を得ることができる。
【００１３】
本発明の横送りを伴う外径加工用バイト用ホルダにおいて、前記凹面部が形成されている先後領域は、これが大きいほど、切り込み深さを大きくできるため、大径の被削物の端面の加工にも適する。したがって、前記凹面部が形成されている先後領域は、前記チップ座のうち、横逃げ面側が開放されている先後部位より大きい方がよいといえる。しかし、外径加工だけで、しかも、切り込み深さ（切り込み量）も小さく、切り屑排出性にも問題がなければ、前記凹面部が形成されている先後領域は、前記チップ座のうち、横逃げ面側が開放されている部位よりも小さくてもよい。
【００１４】
本発明の横送りを伴う外径加工用バイト用ホルダの前記凹面部における「先端向き面」は、クーラントを先端側に向けて噴出させることのできる噴出口を開口させえる面であればよい。したがって、この「先端向き面」は、該凹面部のうち、横送りを伴う外径加工用バイト用ホルダの先端から、この先端を正面として見た時に見える面に限られず、該凹面部において先端側を向く後端面若しくは後端寄り面である。より具体的には、例えば、凹面部の後端が、横送りを伴う外径加工用バイト用ホルダの先後方向に直角な平面をなしているときは、その平面、すなわち、先端を向く平面となる。また、凹面部の後端が、すくい面側から見たとき、横送りを伴う外径加工用バイト用ホルダの先後方向に直角でない平面をなしているときは、その平面となり、この平面は、すくい面側から見ると、横送りを伴う外径加工用バイト用ホルダの先後方向に対し、傾斜したものとなる。さらに、凹面部の後端を含む後端寄り部位が、すくい面側から見たときにおいて、凹となす円弧状の線又は曲線をなしているときは、その曲線を含む面となる。
【００１５】
請求項２に記載の本発明のように噴出口を設ける場合には、そこから噴出されるクーラントによって、切り屑をすくい面から浮かす方への外力の付与となるから、切り屑が横送りを伴う外径加工用切削工具に絡みつくのを防止する作用効果が得られる。一方、請求項３に記載の本発明のように噴出口を複数設けるとよい。なお、チップ座に、切削チップを固定して横送りを伴う外径加工用切削工具とする場合には、請求項４に記載のように、すくい面側から見たとき、切削チップ、すなわち、その切れ刃が、該横送りを伴う外径加工用バイト用ホルダにおける前記後方部位における横逃げ面に沿って引いた仮想直線より突出することなく固定するのがよい。
【図面の簡単な説明】
【００１６】
【図１】本発明の横送りを伴う外径加工用バイト用ホルダを具体化した実施の形態例１の斜視図、及びその要部拡大図。
【図２】図１の横送りを伴う外径加工用バイト用ホルダをすくい面側から見た図、及びその要部拡大図。
【図３】図１の横送りを伴う外径加工用バイト用ホルダを、横逃げ面側から見た図、及びその要部拡大図。
【図４】図１の横送りを伴う外径加工用バイト用ホルダを先端から見た拡大図。
【図５】図１の横送りを伴う外径加工用バイト用ホルダのチップ座に切削チップを固定してなる切削工具の先端部位（要部）拡大斜視図。
【図６】図５の横送りを伴う外径加工用切削工具で、チャックの近傍において被削物を切削しているときの、バイトホルダの横逃げ面、及び切削工具の切れ刃と、チャックの先端との位置関係を説明する、すくい面側から見た要部拡大図。
【図７】図６を横逃げ面側から見た図。
【図８】図６を横送りを伴う外径加工用切削工具の先端から見た図。
【図９】噴出口を開口させる凹面部の後方における先端向き面の別例を説明するすくい面側から見た横送りを伴う外径加工用バイト用ホルダの要部拡大図。
【図１０】本発明の横送りを伴う外径加工用バイト用ホルダ及び横送りを伴う外径加工用切削工具を具体化した別例の要部の拡大斜視図。
【図１１】本発明の横送りを伴う外径加工用バイト用ホルダ及び横送りを伴う外径加工用切削工具を具体化した別例の要部の拡大斜視図。
【図１２】図１１の横送りを伴う外径加工用切削工具をすくい面側から見た図。
【図１３】本発明の横送りを伴う外径加工用バイト用ホルダ及び横送りを伴う外径加工用切削工具を具体化した別例の要部の拡大斜視図。
【図１４】Ａは図１３の横送りを伴う外径加工用切削工具を横逃げ面側から見た図、Ｂは図１３の横送りを伴う外径加工用切削工具をすくい面側から見た図。
【発明を実施するための形態】
【００１７】
本発明の横送りを伴う外径加工用バイト用ホルダを具体化した実施の形態例について、図１〜図４に基づいて詳細に説明する。図中、１００は、バイト用ホルダであり、一定の矩形（長方形）横断面で先後に延びる棒材（四角棒材）を基材（ベース）として形成されており、その先端部位１０２の上面１０５（すくい面と同向き面。以下、すくい面ともいう）において、切削チップ（図５参照。本例では、２コーナを有するひし形チップ。以下、切削チップ２００ともいう）を着座させてネジ込み方式で固定（以下、ネジ止め）するためのチップ座１１０が凹設されている。ただし、このバイト用ホルダ１００は、その横逃げ面１２０側のうち、先端から後端に向かう所定の範囲Ｌ１（図２の拡大図参照）の横逃げ面１２０ａが、範囲Ｌ１より後方部位１２２の横逃げ面１２０ｂ（以下、基準面とも言う）より、その先後において凹む凹面部１２３をなしている。この凹面部１２３のうち、これをすくい面１０５側から見た輪郭、すなわち、詳細は後述するが、チップ座１１０における横逃げ面側の端縁は、その先端を含む先端寄り部位が、固定される切削チップ（ひし形チップ）２００の一辺をなす横逃げ面２１０形状（切れ刃２１５の形状）に沿うものとされている（図２参照）。このため、本例では、切削チップ２００をなすひし形チップを、その先端において切削を担う鋭角コーナーが、ホルダ１００の横逃げ面１２０側に適量突出するように、すくい面１０５側から見たとき、この凹面部１２３は後方に行くに従ってその凹み量が大きなるレーキ角（バックレーキ）が３度程度付けられており、先端から後方に向かう所定範囲が直線をなしている。
【００１８】
これにより、横送りを伴う外径加工用バイト用ホルダ１００は、この凹面部１２３をすくい面１０５側から見たとき、その凹面部１２３の形成領域Ｌ１であるホルダ１００の先端部位１０２の幅寸法は、その後方部位１２２よりも小さくなっている。ただし、この凹面部１２３のうちの、後端寄り部位は、すくい面１０５側から見て凹となす円弧状の円弧面部１２５をなしており、この円弧面部１２５を介し、これに続く後方部位１２２の横逃げ面１２０ｂが、相対的に幅広をなしている。なお、この円弧面部１２５のうち、チップ座（座面）１１０に相当する高さ部位には、詳細は後述するが、クーラントの噴出口（穴）１５０が開口されている。この噴出口１５０は、このホルダ１００内にトンネル状に設けられたクーラント供給用の流路内を圧送されるクーラントが、チップ座１１０に固定される切削チップ２００の横逃げ面２１０側において、切れ刃２１５又はその先端（刃先コーナー）２１７に向けて供給され得るように形成されている。
【００１９】
一方、本例においてチップ座１１０は、横送りを伴う外径加工用バイト用ホルダ１００の先後領域のうち、上記凹面部１２３の形成されている先後領域Ｌ１内において形成されている。本例では、このチップ座１１０は、この凹面部１２３の形成されている先後領域Ｌ１において、横逃げ面１２０側と、先端１０３側を開放する形で、平面視（すくい面側から見たとき）、略ひし形となるように凹設されている。この凹設により、チップ座１１０はすくい面１０５側から見て、バイト用ホルダ１００が先後に延びる方向に対し、先端側が横逃げ面１２０側を向くように、３度程度傾斜して設けられた背面側（横逃げ面１２０側と反対側）拘束壁１１３と、これと鋭角で交差し、斜め先端を向く先端向き拘束壁面１１５とで、ひし形チップの２辺を拘束するように形成されている。このチップ座（座面）１１０は、横逃げ面１２０側を向いて開放された凹面部１２３側縁、及び先端１０３側縁とを端縁とするひし形の平面をなしている。なお、この各拘束壁面１１３，１１５のチップ座１１０からの高さ（壁高さ）は、固定される切削チップ２００の厚みと略同じか、それより微量小さく設定されている。ただし、本例では固定される切削チップ２００がポジタイプのものであるため、その逃げ面を実際に拘束する各壁面は、上方が広がる傾斜壁とされている。また、先端向き拘束壁面１１５のうち、横逃げ面１２０側端縁は、すくい面１０５側から見たとき、円弧面部１２５よりも先端側１０３に位置するように形成されている。なお、チップ座１１０は、その略中央に、切削チップ２００（穴付きチップ）を止ネジ２５０で固定するためのネジ穴１１１を有している。また、すくい面１０５側から見て、この両拘束壁面１１３，１１５の交差部には、ひし形チップ２００の鋭角コーナーを逃がすための凹部（逃げ）１１６が設けられている。
【００２０】
このような本例の横送りを伴う外径加工用バイト用ホルダ１００においては、図５に示したように、チップ座１１０に、ひし形の切削チップ２００を着座させて、止ネジ２５０によってネジ止めしたとき、バイト用ホルダ１００の先端１０３において、チップ座１１０から先方に突出する切れ刃コーナ（刃先）２１７が、ホルダ１００の凹面部１２３より適量Ｔ１、ホルダ１００の横逃げ面１２０側に突出するように設定されている（図２の拡大図参照）。ただし、この切れ刃コーナー２１７におけるホルダ１００の横逃げ面１２０側への突出量Ｔ１は、すくい面側から見たとき、凹面部１２３の領域内とされる。すなわち、この切れ刃コーナー２１７は、すくい面１０５側から見たとき、バイト用ホルダ１００における凹面部１２３の後方部位１２２の横逃げ面（基準面）１２０ｂに沿って引いた直線（仮想直線）Ｌ２より外方に突出しないように設定されている。
【００２１】
さて、本例の横送りを伴う外径加工用バイト用ホルダ１００においては、上記もしたように、凹面部１２３における後端又は後端寄り部位に位置して先端向き面をなすところの円弧面部（本発明における先端向き面）１２５のうち、チップ座１１０（座面の平面）に相当する高さ部位に、クーラントの噴出口（穴）１５０が開口されている。この噴出口１５０は、横断面が円形のノズル状の穴１５２の先端である。そして、このノズル状の穴１５２は、すくい面１０５側から見たとき（図２参照）、その軸線（穴の軸線）が、チップ座１１０に固定される切削チップ２００における横逃げ面２１０の先端（切れ刃コーナー２１７寄り部位）近傍を、切削チップ２００の横逃げ面２１０側において通るようにされている（図２の拡大図、図６参照）。このすくい面１０５側から見たこの軸線は、本例ではホルダ１００の先後方向に向かう線（例えば、仮想直線Ｌ２）に平行に設けられているが、これは、すくい面側から見たときの噴出口１５０の位置と、チップ座１１０に固定される切削チップ２００のうち、切削を担う横逃げ面２１０の先端（切れ刃コーナー２１７）との位置関係で、適宜の傾斜角をつけてもよい。そして、切削チップ２００における横逃げ面２１０側から見たときの（図３参照）、そのノズル状の穴１５２の軸線は、その切削チップ２００のうち、切削を担う切れ刃２１５の先端（切れ刃コーナー２１７）のすくい面２２０寄り部位に向かうように上向きに傾斜する直線をなしている。これは、本例では噴出口１５０をチップ座１１０と同位（同じ高さ）としたためであるが、これが例えば、切削チップ２００のすくい面２２０と同高さ位置において開口されている場合には、ホルダ１００のすくい面に平行となるようにすればよい。また、切削チップ２００のすくい面２２０より上方において開口するものとしてもよいが、その場合には、そのノズル状の穴１５２の軸線が、上記したのと逆に、切削チップ２００のうち、切削を担う切れ刃２１５の先端の切れ刃コーナー２１７におけるすくい面２２０寄り部位に向かうように下向きに傾斜する直線となる。
【００２２】
一方、この噴出口１５０からクーラントを噴出させるための流路は、次のように形成されている（図２〜図４参照）。すなわち、本例では、横送りを伴う外径加工用バイト用ホルダ１００の後端面１０７から先端１０３に向けて、ホルダ１００の先後方向に延びる軸を中心軸として、ホルダ１００内にトンネル状にクーラント供給用の主流路１５４が形成されている。この主流路１５４は、チップ座１１０の後方においてその先端が閉塞された止まり穴をなしており、その先端寄り部位において、前記した噴出口１５０の開口に連なるノズル状の穴１５２に連通するように、横向きに、本例では横逃げ面１２０と反対側の面１２８から穿孔された止まり穴からなる枝流路１５３が形成されている。これにより、本例のホルダ１００では、外部から主流路１５４に圧送されるクーラントは、図２の拡大図中に矢印で示したように、枝流路１５３、ノズル状の穴１５２を通過して、噴出口１５０から上記した軸線方向にジェット流状に噴出される。なお、本例では、クーラント配管接続口（配管接続ネジ部）１５５が、バイト用ホルダ１００の後端面１０７と、後端寄りの横逃げ面１２０側と反対側の一側面１２８にも、互いに連通するように設けられており、その接続口が選択できるように設定されており、使用されない接続口にはプラグをねじ込むことで閉塞すればよい。なお、枝流路１５３の開口端も、図示はしないが、例えばプラグがねじ込まれて閉塞される。
【００２３】
しかして、上記した本例の横送りを伴う外径加工用バイト用ホルダ１００によれば、これのチップ座１１０に上記したように、所定の切削チップ２００をねじ込み方式により固定することで、図５、図６等に示したような横送りを伴う外径加工用切削工具３００となる。そして、この切削工具３００を旋盤の刃物台Ｈｄに固定して、例えば、チャックＣｋに保持（固定）された被削物（丸棒）Ｗの外径加工をする場合においては、クーラント配管接続口１５５に所定の配管を接続してクーラントを圧送することにより、これをジェット流状態で、上記したところの切削箇所に供給することができる。すなわち、本例では、バイト用ホルダ１００における円弧面部１２５のなす先端向き面（先端向き面１２５ともいう）に、上記したようにクーラントの噴出口１５０を備えているから、その切削過程では、その切削を受け持つ切れ刃２１５における切れ刃コーナー２１７に向けて横逃げ面１２０側から所望とする形態でクーラントを供給することができる。これにより、切れ刃（刃先）２１５と被削物Ｗと間の潤滑、及びその両者の冷却ができるのみならず、その設定された噴出方向により、発生する切り屑を切削部位から引き離す作用が得られるため、効果的な切り屑の処理性能が得られる。なお、図７に示したように、クーラントは、すくい面２２０側に向けて斜め上向きに噴出するとともに、図８に示したように、切削チップ２００のすくい面２２０の下においてポジをなす逃げ面２１０と、被削物Ｗとの隙間に供給される。
【００２４】
そして、本例の横送りを伴う外径加工用切削工具３００において重要なのは、その噴出口１５０が、従来の切削工具のように、横送りを伴う外径加工用バイト用ホルダの横逃げ面側において設けられた突出部やアダプタ等の凸部に設けられているのではなく、これとは全く逆に、そのような凸部を設けることなく、ホルダ１００の先端部位１０２の横逃げ面１２０側に設けられた凹面部１２３における後方の先端向き面をなす円弧面部１２５において開口されている点にあることである。すなわち、本例の切削工具３００は、従来の切削工具のようにホルダの横逃げ面側に出っ張る形で設けられた、噴出口形成のための凸部がない。このため、本例の切削工具３００を用いることによる旋削においては、図６に示したように、旋盤におけるチャック（又はスピンドルヘッド）Ｃｋに、バイト用ホルダ１００の基準面１２０ｂを、従来の切削工具の場合よりも凸部がない分、近づけることができる。これにより、被削物Ｗの加工が、チャックＣｋにより近い位置において行うことができるため、小径丸棒の加工においてもブレ等による問題もなく、効率的かつ高精度の加工を行うことができる。すなわち、自動材料送り出し装置を備えた自動旋盤による加工のように、横送りを伴う外径加工用切削工具が、縦送り（切り込み方向の送り）のみなされる場合においては、他の切削工具も櫛歯状の配置で同じ刃物台に固定されるため、その効果は他の切削工具にも及ぶから、著しい効果が得られる。
【００２５】
上記例の横送りを伴う外径加工用バイト用ホルダ１００においては、凹面部１２３の後端において先端を向く先端向き面が円弧面部１２５である。一方、本願発明では、上記したことからも明らかであるが、凹面部１２３における「先端向き面」は、クーラントをホルダ１００の先方に向けて噴出させ得る噴出口１５０を開口させ得る面（部位）であればよい。したがって、上記もしたが、図９に示したように、この先端向き面１２５は、ホルダ１００の先後方向に延びる直線（１２０ｂ）と垂直な平面として形成することもできるが、上記例におけるような円弧面部１２５とすることにより、バイト用ホルダ１００の強度低下の防止が図られるため、ビビリの発生防止にも有効である。
【００２６】
なお、横逃げ面１２０側から見たときの形状の凹面部１２３は、使用する切削チップ２００や加工条件等に応じて適宜に変更すれば良い。上記例では、凹面部１２３における「先端向き面１２５」を、横送りを伴う外径加工用バイト用ホルダ１００のすくい面１０５からその反対向き面に向けて、ホルダ１００の先後方向に延びる直線（１２０ｂ）と垂直となるものとしたが（図３、図７参照）、加工対象である被削物の外径が小さいものに限定されるような加工条件で使用されるような場合には、図７中、２点鎖線で示したように、先端向き面１２５を円弧状に、その反対向き面において先端側に向かうように形成してもよい。
【００２７】
また、上記例では、噴出口１５０を１つ設けた場合の実施例を示したが、図１０に示したように、この噴出口は、上下に複数も受けることとしてもよい。ただし、図１０に示した横送りを伴う外径加工用バイト用ホルダ４００は、そのすくい面１０５に隆起状をなす凸部４１０を設けており、凹面部１２３が、この凸部４１０の先端向き面１２５においても上下に連なっており、凹面部１２３におけるすくい面１０５側から見たとき形状は図２と同形状のものである。本例では、この先端向き面１２５に、上下に３箇所の噴出口１５０ａ、１５０ｂ、１５０ｃが形成されている点など、上記例とはクーラントの噴出口に関する点のみが相違するだけであり、バイト用ホルダ４００の横逃げ面１２０に凸部がないことによる上記した効果についての相違はない。したがって、噴出口についての相違点のみ説明し、同一部位又はそれに対応する部位には同一の符号を付し、その説明を省略する。以下、他の例でも同様とする。
【００２８】
すなわち、本例では、凹面部１２３に、前記したように形成された先端向き面１２５のうち、上記例におけるのと同高さであるチップ座１１０と略同位に、中間の噴出口１５０ａが開口されている。そして、この噴出口１５０ａの下と、上とに、それぞれに、下の噴出口１５０ｂと、上の噴出口１５０ｃとがそれぞれ開口されている。いずれの噴出口も、クーラントの噴出方向を決めるその後方に続くノズル状の穴１５２は、その軸線（穴の軸線）が、チップ座１１０に固定される切削チップ２００における切れ刃２１５又はその先端（刃先コーナー）２１７に向けて横逃げ面２１０側において延びており、この各軸線に沿ってそれぞれクーラントが供給されるように形成されている。なお、上の噴出口１５０ｃは、その中心が、切削チップ２００のすくい面２２０と略同高さに設定されている。しかして、本例では、このように各噴出口の中心を位置させていることから、そのそれぞれの噴出口から切削を担う切れ刃２１５の横逃げ面１２０側において切れ刃コーナ２１７に向けてクーラントが供給され、多角的な方向からクーラントを切削箇所に集中して供給することができる。
【００２９】
なお、本例のように、噴出口を上下に複数設ける場合には、横送りを伴う外径加工用バイト用ホルダ４００におけるすくい面１０５側から底面に向けて、又はその逆に、各噴出口のノズル状の穴１５２に連通する縦穴１５９をあけて、その縦穴１５９の端にプラグをねじ込む等により閉塞すればよい。図１０では、バイト用ホルダ４００のすくい面１０５側において隆起する凸部４１０を設け、これを含めて凹面部１２３を形成した場合で説明したが、噴出口を複数設けるとしても、このような凸部４１０を設けることなく、図１のホルダ１００においても、上下に複数の噴出口を設けることもできる。
【００３０】
また、前例のように隆起する凸部４１０を設ける場合には、図１１、図１２に示したように、その隆起部４１０の先端面４１２にも、別途、クーラントの噴出口１６０を設けることもできる。すなわち、図１１、図１２に別例として示した横送りを伴う外径加工用切削工具６００におけるようにように、前記した図１０の横送りを伴う外径加工用バイト用ホルダ４００において、隆起する凸部４１０のうちの先端面４１２に対し、別の噴出口１６０を設けることもできる。このようにすることで、この噴出口１６０から切削チップ２００のすくい面２２０側において、切れ刃２１５の先端（刃先コーナー）２１７に向けて斜め下向きに、ジェット流状にクーラントが噴出される。この図１１、図１２における別の噴出口１６０は、ホルダ４００のすくい面１０５より上方(上位)であって、すくい面１０５側から見たとき(図１２参照)、ホルダ４００の横逃げ面１２０及び凹面部１２３より内側(図１２の上側)に入り込んだ位置において開口されている。そして、この噴出口１６０は、噴出されるクーラントが、図１１、図１２中、２点鎖線Ｓ４で示したように、切削チップ２００のすくい面２２０の上を飛び越えるようにして、切れ刃２１５の先端（刃先コーナー）２１７に向けて、斜め下向きに吹付けられて供給され得るように形成されている。
【００３１】
しかして、本例では、切削中、凹面部１２３における後方の先端向き面をなす円弧面部(先端向き面)１２５に対し、図１０に示した横送りを伴う外径加工用切削工具５００におけるように、上下に３箇所設けた噴出口１５０ａ、１５０ｂ、１５０ｃのそれぞれから、切削チップ２００の横逃げ面２１０側において切れ刃２１５の先端（刃先コーナー）２１７に向けて、図１１中、２点鎖線Ｓ１、Ｓ２、Ｓ３で示したように噴出されるクーラントに加えて、２点鎖線Ｓ４で示したように、すくい面２２０の上を飛び越えるようにして切れ刃２１５の先端（刃先コーナー）２１７に向けてもクーラントが供給されるものであり、切り屑の一層好ましい処理作用が得られる。なお、別途設けた噴出口１６０は、クーラントが２点鎖線Ｓ４の方向に噴出されるように、それに続くノズル状の穴１６２を設け、それが、縦穴１５９に連通するように形成しておけばよい。
【００３２】
なお、前例のように、凸部４１０の形成によりその先端面４１２に噴出口１６０を開口させて、クーラントを、すくい面２２０の上を飛び越えて切れ刃２１５の先端（刃先コーナー）２１７に向けて供給する場合でも、図１３、図１４に示した横送りを伴う外径加工用切削工具７００のように、切削チップ２００の横逃げ面２１０側において切れ刃２１５の先端（刃先コーナー）２１７に向けてクーラントを供給するように先端向き面１２５に開口する噴出口１５０は、図１〜図４に示した実施形態のものと同様に、１か所、すなわち、図１０、図１１中に示された中間高さにある噴出口１５０ａに対応する部位のもののみとしてもよいし、そのうちのいずれか、又は適宜に選択した２か所としてもよい。なお、図１３では、凸部４１０は、その先後方向の寸法を図１１のものより短くしている。このように凸部４１０は、所望とする方向のクーラントの噴出ができる噴出口１６０、及びそれに連なるノズル状の穴１６２が設けられるように適宜に形成すればよい。因みに、図１３、図１４に示したように、凹面部１２３の先端向き面１２５に設ける噴出口１５０を、図１０、図１１における中間高さにある噴出口１５０ａのみとする場合には、上記例におけるように、枝流路１５３に、噴出口１５０に連なるノズル状の穴１５２を連通させ、凸部４１０の先端面４１２に設ける噴出口１６０に連なるノズル状の穴１６２は、上記例におけ主流路１５４を先端側に向けて延し、その先端において縦穴１５９を上向きに延ばして設け、これに連通するように設ければよい。クーラントが通過するノズル状の各穴等の流路は、主流路１５４を圧送されるクーラントが、各噴出口から噴出されるように、ホルダ４００内において適宜に連通するように形成し、不要な開口は、図示はしないが、ねじ込み式の栓等により塞ぐ（プラグする）こととすればよい。
【００３３】
上記例では、横送りを伴う外径加工用バイト用ホルダは、ひし形チップからなる切削チップを固定するものとして具体化したが、当然のことながら、三角等その他の多角形の切削チップを用いるものにも本発明は適用できる。また、その固定にネジ止方式のクランプ手段を用いた切削工具として具体化したが、これについても、例えば、別途の押さえ金で押さえつけるクランプ方式の切削工具においても具体化できる。なお、本発明における横送りを伴う外径加工用バイト用ホルダにおける凹面部の基準面からの凹み寸法（引下り幅Ｌ２）は、その後方に噴出口を設け得る先端向き面が形成でき、かつ、固定する切削チップの切れ刃コーナにおける横逃げ面側への突出量や、その他の加工条件に応じて適宜に設定すればよい。ただし、好ましくは、切削チップを固定した際において、すくい面側から見たとき、切削を担う切れ刃コーナが、基準面から外方（横逃げ面側）に突出せず、しかも、クーラントを切削を担う切れ刃に横逃げ面側において噴出できるように設定する。なお、クーラントの噴出口及びこれに連なる流路は、横断面が円形穴でなくもよいなど、その形状、数に制限はない。したがって、噴出口は、上下に延びるスリット状のものとして開口させてもよいなど、適宜の形状のものとして具体化できる。
【符号の説明】
【００３４】
１００、４００  横送りを伴う外径加工用バイト用ホルダ
１０２  ホルダの先端部位
１０３  ホルダの先端
１０５  ホルダのすくい面
１１０  チップ座
１２０  ホルダの横逃げ面
１２２  所定の範囲より後方部位
１２３  凹面部
１２５  凹面部における先端向き面（円弧面部）
１５０、１５０ａ，１５０ｂ，１５０ｃ  噴出口
２００  切削チップ
２１０  切削チップの横逃げ面
２１５  切削チップの切れ刃
２２０  切削チップのすくい面
３００，５００，６００，７００  横送りを伴う外径加工用切削工具
Ｌ１    先端から後端に向かう所定の範囲
Ｌ２  ホルダにおける後方部位における横逃げ面に沿って引いた仮想直線
【国際調査報告】
2015056496.tif 000017
2015056496.tif 000018
2015056496.tif 000019
2015056496.tif 000020